(57)【要約】  本開示の態様は、おくるみの特性を模倣するように着用者の身体上に配置されるよう構成された使い捨て吸収性物品に関する。使い捨て吸収性物品は、たくし込みフラップと、２つの耳部又はサイドパネルとを有するシャーシを含んでもよい。２つの耳部は、第１腰部領域から横方向反対側に延び、たくし込みフラップは、第２腰部領域から長手方向に延びる。他のシャーシの実施形態は、第２腰部領域から横方向反対側に延びる２つの更なる耳部を含んでもよい。２つの耳部を着用者の腰の周りに巻きつけ、第２腰部領域を着用者の両脚の間に通し、たくし込みフラップを耳部の上に折り畳むこと及び／又はたくし込むことによって、シャーシが着用者にフィットするよう適合される。シャーシの実施形態は、伸張可能であり得る手作業で形成されるたくし込みフラップ又は予め形成されたたくし込みフラップを備えて構成されてもよい。
2010508948.tif 000002
【特許請求の範囲】
【請求項１】
着用者の胴体下部区域の周りで着用するよう適合された使い捨て吸収性物品（１００）であって、
外側面（１３６）及び内側面（１３４）を有すると共に、第１腰部領域（１１８）、第２腰部領域（１２２）、及び、該第１腰部領域（１１８）と該第２腰部領域（１２２）との間に配置された股部領域（１２０）を含むシャーシ（１０６）であって、第１耳部（１０８）、第２耳部（１１０）、及び、たくし込みフラップ（１１２）を更に含み、該第１耳部（１０８）及び第２耳部（１１０）が該第１腰部領域（１１８）から横方向の反対方向に延び、該たくし込みフラップ（１１２）が該第２腰部領域（１２２）から長手方向に延びる、シャーシ（１０６）と、
該シャーシ（１０６）の第１区域上に配置されると共に、該シャーシ（１０６）の第２区域と連結するよう適合された少なくとも１つの締着具要素（１５０）と、を含み、
該たくし込みフラップ（１１２）の少なくとも一部分が、少なくとも１つの方向に伸張可能である、使い捨て吸収性物品。
【請求項２】
前記たくし込みフラップ（１１２）が、前記第２腰部領域（１２２）の一部分を長手方向に伸張させることによって形成される、請求項１に記載の使い捨て吸収性物品。
【請求項３】
前記第１耳部（１０８）及び該第２耳部（１１０）が伸張可能である、請求項１又は２に記載の使い捨て吸収性物品。
【請求項４】
前記第１腰部領域（１１８）が伸張可能である、請求項１〜３のいずれか一項に記載の使い捨て吸収性物品。
【請求項５】
前記たくし込みフラップ（１１２）が長手方向に伸張可能である、請求項１〜４のいずれか一項に記載の使い捨て吸収性物品。
【請求項６】
前記第１腰部領域（１１８）が、着用者の後側腰部領域に隣接して又は後側腰部領域の近傍に配置されるよう適合され、
該第２腰部領域（１２２）が、着用者の前側腰部領域に隣接して又は前側腰部領域の近傍に配置されるよう適合される、請求項１〜５のいずれか一項に記載の使い捨て吸収性物品。
【請求項７】
前記第１耳部（１０８）が、前記内側面上の第１耳部区域及び前記外側面上の第１耳部区域を画定し、
締着要素が、前記第１耳部上に設けられ、前記シャーシの第２区域と連結するよう適合され、
前記内側面上の前記第１耳部区域及び前記外側面上の前記第１耳部区域のいずれかの少なくとも２５％が、前記締着要素で覆われており、好ましくは前記内側面上の前記第１耳部区域及び前記外側面上の前記第１耳部区域のいずれかの少なくとも５０％が、前記締着要素で覆われており、好ましくは前記内側面上の前記第１耳部区域及び前記外側面上の前記第１耳部区域のいずれかの７５％が、前記締着要素で覆われている、請求項１〜６のいずれか一項に記載の使い捨て吸収性物品。
【請求項８】
前記締着要素が突出部を含み、該突出部のそれぞれが突出部の高さを画定し、該突出部の高さが０．５ｍｍ未満、又は、０．１ｍｍ未満、又は、０．０１ｍｍ未満である、請求項７に記載の使い捨て吸収性物品。
【請求項９】
前記たくし込みフラップが、前記内側面上のたくし込みフラップ区域及び前記外側面上のたくし込みフラップ区域を画定し、
締着要素が、前記たくし込みフラップ上に設けられ、前記シャーシの第２区域と連結するよう適合され、
前記内側面上の前記たくし込みフラップ区域及び前記外側面上の前記たくし込みフラップ区域のいずれかの少なくとも２５％、又は、少なくとも５０％、又は、少なくとも７５％が、前記締着要素で覆われており、
好ましくは前記締着要素が、突出部を含み、該突出部が、突出部の高さを画定し、前記突出部の高さが、０．５ｍｍ未満、又は、０．１ｍｍ未満、又は、０．０１ｍｍ未満である、請求項１〜８のいずれか一項に記載の使い捨て吸収性物品。
【請求項１０】
前記シャーシが、前記内側面上の第１シャーシ区域及び前記外側面上の第２シャーシ区域を画定し、
締着要素が、前記シャーシ上に設けられ、前記たくし込みフラップと、前記第１耳部と、前記第２耳部と、のいずれかと連結するよう適合され、
前記第１シャーシ区域及び前記第２シャーシ区域のいずれかの少なくとも２５％が、前記締着要素で覆われており、
好ましくは前記締着要素が、突出部を含み、該突出部が、突出部の高さを画定し、該突出部の高さが、約０．５ｍｍ未満である、請求項１〜９のいずれか一項に記載の使い捨て吸収性物品。
【発明の詳細な説明】
【技術分野】
【０００１】
本開示は、使い捨て吸収性物品に関し、より詳細には、おくるみの特性を模倣する物品を着用者に適用するための巻きつけてたくし込む折り畳み構成を有する使い捨て吸収性物品に関する。
【背景技術】
【０００２】
様々な異なる基本設計を有する使い捨て吸収性物品が、当該技術分野において知られている。乳幼児及び他の失禁症状のある人は、排出された尿及び他の身体排出物を受け入れて封じ込める吸収性物品、例えばおむつ及び失禁用ブリーフを着用することがある。このような吸収性物品は、排出された物質を封じ込めることと、排泄物を着用者の身体から、並びに着用者の衣類及び寝具から隔離することと、の両方の機能を果たす。
【０００３】
使い捨て吸収性物品には、適用プロセス中に着用者の身体に対する物品の組立を必要とする形態で提供されるものがある。このような使い捨ておむつは、発育の各段階において母親及び乳児にアピールするように構成されていることがある。このような１つの段階は、本明細書で「絆の形成段階（bonding stage）」と呼ばれており、母親と新生児の関係を考慮するものである。新生児の母親の中には、快適感や安心感をもたらす助けとなるように、我が子を毛布及び／又は他の布地に包みたいという願いを持つ者もいる。子供を包む従来の手段は、おくるみと呼ばれている。毛布を重ね合わせて包むこと（例えばおくるみ）により、乳児に快適感を与え、母親に乳児との親密な相互作用を提供する。このように、「毛布のような」製品形態は、この段階の乳児を持つ母親にとって、願望的及び直感的なものであることがある。いくつかのおむつは、米国特許第４，９９５，８７３号（ナイト（Knight）に発行）に開示される吸収性衣類のように、このおくるみの特性をできる限り模倣するように構成されていることがある。
【先行技術文献】
【特許文献】
【０００４】
【特許文献１】米国特許第４，９９５，８７３号
【発明の概要】
【発明が解決しようとする課題】
【０００５】
ナイト（Knight）の吸収性衣類のように、おくるみの特性を模倣するように構成されているいくつかの吸収性物品は、例えば伸張可能な構成要素（例えば耳部、腰部、シャーシ）のように、これらがフィット性、快適性、及び排泄物封入性のおむつの基本機能を別の方法で向上させる様々な機構を欠いている。これらの機構の欠如は、子供の身体への適合を可能にするのに重要であり、これらが別の方法で吸収性物品を子供の形状に容易に適合させ、快適な圧力を子供に提供するものである。更には、いくつかのこのような吸収性物品は、製造が比較的複雑であると共に比較的多くの作製材料を必要とする予め形成された形状を有することがあり、結果として製造コストがより高くなる。
【課題を解決するための手段】
【０００６】
本開示の態様は、おくるみの特性を模倣するように着用者の身体上に配置されるよう構成された使い捨て吸収性物品に関する。使い捨て吸収性物品は、たくし込みフラップ（折り返しフラップ、折り込みフラップ、包みフラップ、包み込みフラップ、抱え込みフラップ）と、２つの耳部又はサイドパネルとを有するシャーシを含んでもよい。２つの耳部は、第１腰部領域から横方向反対側に延び、たくし込みフラップは、第２腰部領域から長手方向に延びる。他のシャーシの実施形態は、第２腰部領域から横方向反対側に延びる２つの追加の耳部を含んでもよい。２つの耳部を着用者の腰の周りに巻きつけ、第２腰部領域を着用者の両脚の間に通し、たくし込みフラップを耳部の上に折り重ねること及び／又はたくし込むことによって、シャーシが着用者にフィットするよう適合される。耳部は、互いに及び／又はシャーシの別の部分、例えばたくし込みフラップ及び／又は第２腰部領域と連結して、おむつを着用者の身体上で所定の位置に保持するよう適合されてもよい。加えて、シャーシの実施形態は、伸張可能であり得る予め形成されたたくし込みフラップを備えて構成されてもよい。いくつかのシャーシの実施形態は、ユーザーがシャーシの第２腰部領域の一部分を長手方向に伸張させることによって、たくし込みフラップを手作業で形成できる材料から構成されてもよい。
【０００７】
一形態では、着用者の胴体下部区域の周りで着用するよう適合された使い捨て吸収性物品は、外側面及び内側面を有すると共に、第１腰部領域、第２腰部領域、及び、第１腰部領域と第２腰部領域との間に配置された股部領域を含むシャーシであって、第１耳部、第２耳部、及び、たくし込みフラップを更に含み、第１耳部及び第２耳部が第１腰部領域から横方向反対側に延び、たくし込みフラップが第２腰部領域から長手方向に延びる、シャーシと、シャーシの第１区域上に配置されると共に、シャーシの第２区域と連結するよう適合された少なくとも１つの締着具要素と、を含み、たくし込みフラップの少なくとも一部分は伸張可能である。
【０００８】
別の形態では、着用者の胴体下部区域の周りで着用するよう適合された使い捨て吸収性物品は、外側面、及び内側面を有すると共に、第１腰部領域、第２腰部領域、及び、第１腰部領域と第２腰部領域との間に配置された股部領域を含むシャーシであって、第１耳部、第２耳部、及びたくし込みフラップを更に含み、第１耳部及び第２耳部が第１腰部領域から横方向反対側に延び、たくし込みフラップが第２腰部領域から長手方向に延びる、シャーシと、シャーシの第１区域上に配置されると共に、シャーシの第２区域と連結するよう適合された少なくとも１つの締着具要素と、を含み、第１耳部及び第２耳部は伸張可能である。
【０００９】
更に別の態様では、使い捨て吸収性物品を着用者の胴体下部区域に配置するための方法は、シャーシの第１腰部領域を着用者の後側腰部領域に隣接して又は後側腰部領域の近傍に配置する工程と、第１腰部領域から延びる第１耳部及び第２耳部を着用者の腰の周りに巻きつける工程と、シャーシの第２腰部領域及び股部領域を着用者の両脚の間に通す工程と、第１耳部及び第２耳部を着用者の前側腰部領域に隣接して又は前側腰部領域の近傍にシャーシの第２腰部領域と係合させる工程と、シャーシの第２腰部領域から延びるたくし込みフラップを伸張させる工程と、たくし込みフラップを第１耳部及び第２耳部の上に折り重ねる工程とを含む。
【００１０】
更に別の形態では、着用者の胴体下部区域の周りで着用するよう適合された使い捨て吸収性物品は、外側面及び内側面を有すると共に、第１腰部領域、第２腰部領域、及び、第１腰部領域と第２腰部領域との間に配置された股部領域を含むシャーシであって、第１耳部、第２耳部、及び、たくし込みフラップを更に含み、第１耳部及び第２耳部が第１腰部領域から横方向反対側に延び、たくし込みフラップが第２腰部領域から長手方向に延び、第１耳部が内側面上の第１耳部区域及び外側面上の第１耳部区域を画定するシャーシと、第１耳部上に設けられ、シャーシの第２区域と連結するよう適合された締着要素とを含み、内側面上の第１耳部区域及び外側面上の第１耳部区域のいずれかの少なくとも約２５％は、締着要素で覆われている。
【００１１】
更に別の形態では、着用者の胴体下部区域の周りで着用するよう適合された使い捨て吸収性物品は、外側面及び内側面を有すると共に、第１腰部領域、第２腰部領域、及び、第１腰部領域と第２腰部領域との間に配置された股部領域を含むシャーシであって、第１耳部、第２耳部、及び、たくし込みフラップを更に含み、第１耳部及び第２耳部が第１腰部領域から横方向反対側に延び、たくし込みフラップが第２腰部領域から長手方向に延び、たくし込みフラップが内側面上のたくし込みフラップ区域及び外側面上のたくし込みフラップ区域を画定するシャーシと、たくし込みフラップ上に設けられ、シャーシの第２区域と連結するよう適合された締着要素と、を含み、内側面上のたくし込みフラップ区域及び外側面上のたくし込みフラップ区域のいずれかの少なくとも２５％は、締着要素で覆われている。
【００１２】
更に別の形態では、着用者の胴体下部区域の周りで着用するよう適合された使い捨て吸収性物品は、外側面及び内側面を有すると共に、第１腰部領域、第２腰部領域、及び、第１腰部領域と第２腰部領域との間に配置された股部領域を含むシャーシであって、第１耳部、第２耳部、及び、たくし込みフラップを更に含み、第１耳部及び第２耳部が第１腰部領域から横方向反対側に延び、たくし込みフラップが第２腰部領域から長手方向に延び、シャーシが内側面上の第１シャーシ区域及び外側面上の第２シャーシ区域を画定するシャーシと、シャーシ上に設けられ、たくし込みフラップ、第１耳部、及び第２耳部のいずれかと連結するよう適合された締着要素とを含み、第１シャーシ区域及び第２シャーシ区域のいずれかの少なくとも２５％は、締着要素で覆われている。
【図面の簡単な説明】
【００１３】
【図１】本開示による使い捨て吸収性物品の平面図。
【図１Ａ】耳部及びたくし込みフラップの更なる詳細を示す図１の使い捨て物品の図。
【図２】たくし込みフラップが第１耳部及び第２耳部の上に折り重なった状態で着用者の身体の上に配置された、使い捨て吸収性物品の等角図。
【図３Ａ】伸張可能な第２腰部領域を有する使い捨て吸収性物品の平面図。
【図３Ｂ】第２腰部領域を伸張させることによってたくし込みフラップが手作業で形成された状態の、図３Ａの使い捨て吸収性物品の平面図。
【図４Ａ】２つの一対の耳部及び１つの伸張可能な第２腰部領域を有する使い捨て吸収性物品の平面図。
【図４Ｂ】第２腰部領域を伸張させることによってたくし込みフラップが手作業で形成された状態の、図４Ａの使い捨て吸収性物品の平面図。
【図５Ａ】着用者上に配置されるときに折り畳まれるプロセスにおける、使い捨て吸収性物品の等角図。
【図５Ｂ】着用者上に配置されるときに折り畳まれるプロセスにおける、使い捨て吸収性物品の等角図。
【図５Ｃ】第１耳部及び第２耳部がシャーシの第２腰部領域を横切って重なり合った状態で折り畳まれるプロセスにおける、使い捨て吸収性物品の等角図。
【図５Ｄ】第１耳部及び第２耳部が第２腰部領域を横切って延びた状態で折り畳まれるプロセスにおける、使い捨て吸収性物品の等角図。
【図６Ａ】シャーシの内側にある身体に面する表面の上の様々な締着具要素の位置を示す、使い捨て吸収性物品の平面図。
【図６Ｂ】シャーシの外側にある衣類に面する表面の上の様々な締着具要素の位置を示す、使い捨て吸収性物品の底面図。
【図７Ａ】シャーシの内側にある身体に面する表面の上の様々な締着具要素の位置を示す、２対の耳部を有する使い捨て吸収性物品の平面図。
【図７Ｂ】シャーシの外側にある衣類に面する表面の上の様々な締着具要素の位置を示す、使い捨て吸収性物品の底面図。
【図８】第１耳部及び第２耳部がシャーシの第２腰部領域の一部分を横切って延びた状態で、着用者の身体上に配置された使い捨て吸収性物品の等角図。
【図９】第３及び第４耳部を有すると共に着用者の身体上に配置されている、使い捨て吸収性物品の等角図。
【図１０】たくし込みフラップが着用者の身体と第１耳部及び第２耳部との間に延びた状態で着用者の身体上に配置されている、使い捨て吸収性物品の等角図。
【発明を実施するための形態】
【００１４】
本開示の態様は、おくるみの特性を模倣するための「巻きつけてたくし込む」構成において、着用者の身体上に配置されるように構成されたおむつの形態における使い捨て吸収性物品に関する。使い捨て吸収性物品の実施形態は、たくし込みフラップと、２つの耳部又はサイドパネルとを有するシャーシを含む。シャーシはまた、第１腰部領域、第２腰部領域、及び第１腰部領域と第２腰部領域との長手方向の間に配置された股部領域を含む。２つの耳部は、第１腰部領域から横方向反対側に延び、たくし込みフラップは、第２腰部領域から長手方向に延びる。このように、シャーシのいくつかの実施形態は、シャーシが平らに展開された構成で配置されるとき、Ｔ字形の形態を画定する。他のシャーシの実施形態は、平らに展開された構成で配置されるとき、第２腰部領域から横方向反対側に延びて、より従来型の形態を画定する２つの追加の耳部を含んでもよい。２つの耳部を着用者の腰部領域の周りに巻きつけ、第２腰部領域を着用者の股部領域に通し、たくし込みフラップを耳部の上に折り重ねること及び／又はたくし込みフラップをシャーシと着用者の身体との間にたくし込むことによって、シャーシが着用者にフィットするよう適合される。耳部は、互いに、及び／又はシャーシの別の部分、例えばたくし込みフラップ及び／又は第２腰部若しくは股部領域と連結して、おむつを着用者の身体上で所定の位置に保持するよう適合されてもよい。
【００１５】
以下に更に詳細に説明するように、シャーシの実施形態は、第２腰部領域から長手方向に延びる予め形成されたたくし込みフラップを備えて構成されてもよい。予め形成されたたくし込みフラップはまた、伸張可能であってもよい。他のシャーシの実施形態は、予め形成されたたくし込みフラップを含まなくてもよく、その代わりに、ユーザーがシャーシの第２腰部領域の一部分を（弾性的に）伸張させること（あるいは永久的に変形させること）によって、たくし込みフラップを手作業で形成できる材料から構成されてもよい。このように、たくし込みフラップは、伸張可能であっても、延伸性であっても、弾性であっても、又は非伸張可能であってもよい。たくし込みフラップを備えて構成されたシャーシは、様々な利益を提供してもよい。例えば、ユーザーは、たくし込みフラップとシャーシの他の部分との連結の仕方を調節することによって、広範囲にわたる着用者の寸法にフィットするようにシャーシを調節することができる。このように、たくし込みフラップを備えて構成されたシャーシは、乳児の急速な成長に適応するように調節されてもよい。加えて、たくし込みフラップは、乳児の臍帯断端を避けるように容易に配置することができ、このことは、乳児に対する炎症の防止、及び乳児に対する更なる快適性の提供を補助する。使い捨て吸収性物品の実施形態はまた、改善された快適性、フィット性、及び／又は排泄物封入性、並びに低減された製造の複雑さの提供を補助し得る様々な機構を備えて構成されてもよい。例えば、いくつかの実施形態は、伸張可能な耳部、孔あきトップシート、レッグカフ、及び／又は様々な吸収性コアの構成を含んでもよい。加えて、実施形態は、以下に参照するように、糞便を受容するよう適合された開口部を有する受け入れ及び貯蔵要素又は弾性トップシートを含む排泄物処理要素を含んでもよい。
【００１６】
本明細書で使用するとき、用語「おむつ」は、一般に乳幼児及び失禁者により胴体下部の周りで着用される吸収性物品を指す。用語「吸収性物品」は、身体排出物を吸収し封じ込めるデバイスを指し、より具体的には、着用者の身体に接触して又は近接して配置されて、身体から排出される様々な排出物を吸収し封じ込めるデバイスを指す。本明細書において用語「使い捨て」は、洗濯、あるいは吸収性物品として復元又は再利用することを一般に意図しない（例えば、一回の使用後に廃棄されることを意図し、リサイクルするか、堆肥化するか、さもなければ環境に適合する方法で処分するようにも構成され得る）吸収性物品を説明するのに使用される。本明細書で使用するとき、用語「配置された」は、おむつの要素（類）が、おむつの他の要素と共に一体型構造体として、又はおむつの別の要素に接合された別個の要素として、特定の場所又は位置に形成される（接合され及び位置付けられる）ことを意味するのに用いられる。本明細書で使用するとき、用語「接合されている」は、ある要素を別の要素に直接取付けることによって、その要素がその別の要素に直接取付けられる構成、及びある要素を中間部材（類）に取付けてから、その中間部材を別の要素に取付けることによって、その要素がその別の要素に間接的に取付けられる構成を含む。
【００１７】
本明細書で使用するとき、用語「伸張可能」は、約４００ｇｍ／ｃｍの荷重におけるヒステリシス試験の上向き曲線上で、少なくとも１０５％伸びた長さまで伸張可能である材料を指す。用語「伸張不可能」は、約４００ｇｍ／ｃｍの荷重におけるヒステリシス試験の上向き曲線上で、少なくとも５％まで伸張できない材料を指す。
【００１８】
本明細書で使用するとき、用語「弾性」又は「エラストマーの」は、バイアス力を加えると、断裂又は破断することなく、弛緩した元の長さの少なくとも約１１０％、好ましくは１２５％の長さまで伸張でき（即ち、元の長さを１０％、好ましくは２５％上回る長さまで伸張でき）、加えた力を除くと、その伸びの少なくとも約４０％まで回復し、好ましくはその伸びの少なくとも６０％まで回復し、最も好ましくはその伸びの少なくとも約８０％まで回復するあらゆる材料を指す。例えば、１００ｍｍの初期長を有する材料は、少なくとも１１０ｍｍまで延伸でき、力を除くと、１０６ｍｍの長さまで収縮することになる（４０％の回復率）。本明細書において、用語「非弾性」は、上記の「弾性」の定義に当てはまらないあらゆる材料を指す。
【００１９】
本明細書で使用するとき、用語「延伸性がある」は、バイアス力を加えると、断裂又は破断することなく、弛緩した元の長さの少なくとも約１１０％、好ましくは少なくとも１２５％の長さまで伸張でき（即ち、元の長さを１０％、好ましくは２５％上回る長さまで伸張でき）、加えた力を除くと、その伸びの約４０％未満、好ましくは約２０％未満、より好ましくは約１０％未満とほとんど回復を見せないあらゆる材料を指す。
【００２０】
図１及び２は、おむつ１０２の形態における使い捨て吸収性物品１００の実施形態を示している。具体的には、図１は、平らに展開された状態のおむつ１０２の平面図であり、着用者に面するおむつの部分は見る人の方に向いており、図２は、折り畳まれた状態における着用者の身体１０４上に配置された図１のおむつ１０２を示す。以下に更に詳細に説明するように、図２に示す以外の方法で、おむつ１０２を着用者の身体上に巻きつけて折り畳むことが可能である。図１に示すように、おむつは、第１耳部１０８、第２耳部１１０、及びたくし込みフラップ１１２を有するシャーシ１０６を含む。本考察に関する基準枠を提供するために、長手方向軸線１１４及び横方向軸線１１６を有するシャーシが示されている。シャーシ１０６は、第１腰部領域１１８、第２腰部領域１２２、及び第１腰部領域と第２腰部領域との間に配置された股部領域１２０を有するものとして示されている。たくし込みフラップ１１２は、第２腰部領域１２２から長手方向に延びる。このように、図１に示したシャーシ１０６は、横方向に延びる第１耳部１０８及び第２耳部１１０と、長手方向に延びるたくし込みフラップ１１２、第２腰部領域１２２、及び股部領域１２０とによって画定される全体的にＴ字形の形態を有する。図１に示すように、たくし込みフラップ１１２は、第２腰部領域１２２から遠位端部分１２４に延びる。おむつの周辺部は、長手方向に延びる一対の側縁部１２６、１２８、第１腰部領域１１８に隣接して横方向に延びる第１外縁部１３０、及びたくし込みフラップ１１２の遠位端部分１２４に隣接して横方向に延びる第２外縁部１３２によって画定される。
【００２１】
図１及び２に示すように、シャーシ１０６は、内側にある着用者又は身体に面する表面１３４、及び外側にある衣類に面する表面１３６を含む。シャーシ構造の一部分は、おむつの実施形態に含んでもよい様々な機構の構造をより明瞭に示すために、図１において切り取られている。図１に示すように、おむつ１０２のシャーシ１０６は、トップシート１４０とバックシート１４２とを含む外側カバー層１３８を含んでもよい。吸収性コア１４４は、トップシート１４０とバックシート１４２の一部分の間に配置されてもよい。以下に更に詳細に説明するように、いずれか１以上の領域が伸張可能であってもよく、本明細書に記載されるようなエラストマー材又はラミネートを含んでもよい。このように、おむつ１０２は、適用時に特定の着用者の解剖学的構造に適合するように、また、着用中に着用者の解剖学的構造との協調を維持するように構成されていてもよい。
【００２２】
先に述べたとおり、おむつ１０２のたくし込みフラップ１１２は、予め形成され、たくし込みフラップ１１２を伸張させる材料から構成されていてもよい。他の実施形態では、たくし込みフラップ１１２は、シャーシ１０６の一部分を、例えば第２腰部領域１２２から長手方向及び／又は横方向に伸張させることによって手作業で形成されてもよい。例えば、図３Ａ及び３Ｂは、シャーシ１０６の一部分を伸張させることによってたくし込みフラップ１１２が手作業で形成されているシャーシ１０６の実施形態を例示している。具体的には、図１に示したものと同様に、第１腰部領域１１８、股部領域１２０、及び第２腰部領域１２２を有するシャーシが図３Ａに示されている。しかしながら図１とは異なり、図３Ａにおけるシャーシ１０６は、たくし込みフラップ１１２を伴わずに示されている。図３Ａ及び３Ｂにおいて、シャーシ１０６の１つ以上の部分、例えば第２腰部領域１２２は、力を第２腰部領域１２２上で長手方向及び／又は横方向に加えることによってたくし込みフラップ１１２を手作業で形成できる材料から構成されてもよい。手作業で形成されるたくし込みフラップ１１２の一例が、図３Ｂに示されている。
【００２３】
手作業で形成されるたくし込みフラップは、図に例示されたもの以外の形状及び寸法を有してもよいことを理解すべきである。例えば、いくつかの実施形態では、耳部の上に折り重ねられたとき、１ｃｍ〜１５ｃｍの範囲内の折り目からたくし込みフラップ遠位端までの長さ（即ち、折り畳まれた長さ）を画定するたくし込みフラップを有するのが好ましいことがあり、一方、他の実施形態では、２ｃｍ〜１０ｃｍの範囲内の折り畳まれた長さを画定するたくし込みフラップを有するのが好ましいことがあり、更に他の実施形態では、２．５ｃｍ〜５ｃｍの範囲内の折り畳まれた長さを画定するたくし込みフラップを有するのが好ましいことがある。手作業で形成されるたくし込みフラップは、おむつを着用者上に配置する前、その最中、及び／又はその後に形成されてもよいことも理解すべきである。加えて、本開示によるおむつはまた、予め形成されたたくし込みフラップ及び手作業で形成されるたくし込みフラップの組み合わせを含んでもよく、予め形成されたたくし込みフラップは、ユーザーによって所望の形状及び／又は長さに手作業で伸張され得る。手作業で形成できるたくし込みフラップを提供するシャーシを作製するのに使用し得る様々なタイプの伸張可能な材料又は弾性材料の考察が、以下に提示される。たくし込みフラップ１１２はシャーシ１０６と一体的に形成されるものとして例示されているが、他の実施形態は、シャーシと連結した別個の要素であるたくし込みフラップを含んでもよいことを理解すべきである。
【００２４】
おむつ１０２は、図１に示した全体的にＴ字形の形態以外のシャーシ形状を画定する様々な機構を有してもよいことを理解すべきである。例えば、図４Ａ及び４Ｂは、第２腰部領域１２２から横方向反対側に延びる第３耳部１４６及び第４耳部１４８を有するシャーシ１０６を示している。このように、図４Ａに示したシャーシ１０６は、平らに展開された構成で配置されるときに、より従来型の形態を画定する。図４Ａに示したシャーシ１０６の第２腰部領域１２２はまた、力をシャーシ１０６の一部分、例えば第２腰部領域１２２上で長手方向及び横方向に加えることによってたくし込みフラップ１１２を手作業で形成できる材料から構成されてもよい。手作業で形成されるたくし込みフラップの一例が、図４Ｂに示されている。先に述べたとおり、手作業で形成されるたくし込みフラップは、図に例示されるもの以外の形状を有してもよい。図４Ｂに示されるような第３及び第４耳部１４６、１４８を有するシャーシは、予め形成されたたくし込みフラップを含んでもよく、そのたくし込みフラップは伸張可能であっても伸張可能でなくてもよいことも理解すべきである。
【００２５】
以下に更に詳細に説明するように、おむつ１０２は、おむつの第１腰部領域１１８を着用者の胴体の後側腰部領域に隣接して又は後側腰部領域の近傍に配置することによって、着用者の身体上に配置されてもよい。次いで、第２腰部領域１２２が着用者の両脚の間に通され、シャーシ１０６の股部領域１２０が着用者の股部領域に沿って配置されてもよい。また第１耳部１０８及び第２耳部１１０は、図１の長手方向軸線１１４の概ね周りで曲がって延びるように折り畳まれ、着用者の腰の周りでベルトを形成する。図５Ａは、おむつ１０２を着用者の身体上に配置するときに、第１耳部１０８、第２耳部１１０、股部領域１２０、及び第２腰部領域１２２を折り畳み得る一般的な方向を例示している。耳部１０８及び耳部１１０は、着用者の胴体下部のウエスト区域の周りに巻きつけられ、着用者の前側腰部領域に沿って第２腰部領域１２２、及び／又はたくし込みフラップ１１２の一部分と係合して、おむつを着用者上に固定してもよい。おむつ１０２が着用者の身体上に配置されるとき、長手方向に延びる側縁部１２６及び側縁部１２８の部分は、着用者の大腿を取り囲む脚部開口部を画定して、その周りの排泄物の漏れ防止を補助する。図６Ａ〜７Ｂなどに関して以下に更に詳細に説明するように、吸収性物品１００は、耳部を互いに、並びに／又はシャーシの他の部分、例えば第２腰部領域及び／若しくはたくし込みフラップと連結するよう適合された１つ以上の締着具又は締着要素１５０を含んでもよい。また以下に記述されるように、耳部、第２腰部領域、及びたくし込みフラップは、おむつを着用者の身体上に固定するための様々な方法で互いに係合し得る。
【００２６】
様々な構造上の変形のいくつかの説明を以下に提示するが、これらは、図１〜５Ａに関して上に記載したものなど、本開示のおむつ及びシャーシの実施形態のいずれかに含んでもよい。
【００２７】
先に述べたとおり、おむつ１０２のシャーシ１０６は、例えば図１に示したバックシート１４２を含んでもよい。いくつかの実施形態では、バックシートは、シャーシ内に吸収されて封じ込められた排出物が、おむつに接触し得る物品、例えばベッドシーツ及び下着を汚すのを防ぐように構成される。バックシートのいくつかの実施形態は流体透過性であってもよく、一方で、他の実施形態は、液体（例えば尿）に対して不透過性であってもよく、薄いプラスチックフィルムを含む。いくつかの実施形態では、プラスチックフィルムは、厚さ約０．０１２ｍｍ（０．５ミル）〜約０．０５１ｍｍ（２．０ミル）を有する熱可塑性フィルムを含む。いくつかのバックシートフィルムは、トレデガーインダストリーズ社（Tredegar Industries Inc.）（インディアナ州テレホート（Terre Haute））によって製造され、商標名Ｘ１５３０６、Ｘ１０９６２、及びＸ１０９６４として販売されているものを含んでもよい。他のバックシート材料は、おむつから蒸気を逃がす一方で、排出物がバックシートを通り抜けるのを防ぐ通気性材料を含んでもよい。代表的な通気性材料としては、織布ウェブ、不織布ウェブのような材料、フィルムコートされた不織布ウェブのような複合材料、及び三井東圧社（Mitsui Toatsu Co.,）（日本）によりエスポワール（ESPOIR）ＮＯの表記で製造されるような、またエクソンケミカル社（EXXSON Chemical Co.,）（テキサス州ベイシティー（Bay City）によりエクサエール（EXXAIRE）の表記で製造されるようなミクロ孔質フィルムを挙げてもよい。ポリマーブレンドを含む好適な通気性複合材料は、クロペイ社（Clopay Corporation）（オハイオ州シンシナティ（Cincinnati））からハイトレル（HYTREL）ブレンドＰ１８−３０９７の名称で入手できる。このような通気性複合材料は、ＰＣＴ特許出願ＷＯ  ９５／１６７４６（Ｅ．Ｉ．デュポン（E. I. DuPont）、１９９５年６月２２日公開）、及び米国特許第５，８６５，８２３号（カーロ（Curro）、１９９９年２月２日発行）により詳細に記載されており、その両方が参考として本明細書に組み込まれる。不織布ウェブ及び孔あき成形フィルムを含む他の通気性バックシートは、米国特許第５，５７１，０９６号（ドブリン（Dobrin））ら、１９９６年１１月５日発行）、及び米国特許第６，５７３，４２３号（ヘルライン（Herrlein）ら、２００３年６月３日発行）に記載されており、これらの全てが参考として本明細書に組み込まれる。
【００２８】
バックシート１４２、及びそのいずれかの部分は、１つ以上の方向に伸張可能であってもよい。一実施形態では、バックシートは、構造的に弾性様のフィルム（「ＳＥＬＦ」）ウェブを含んでもよい。ＳＥＬＦウェブの実施形態は、米国特許第５，５１８，８０１号、名称「弾性様挙動を示すウェブ材（Web Materials Exhibiting Elastic-Like Behavior）」（チャッペル（Chappell））ら、１９９６年５月２１日発行）、米国特許第５，７２３，０８７号、名称「弾性様挙動を示すウェブ材（Web Materials Exhibiting Elastic-Like Behavior）」（チャッペル（Chappell））ら、１９９８年３月３日発行）、米国特許第５，６９１，０３５号、名称「弾性様挙動を示すウェブ材（Web Materials Exhibiting Elastic-Like Behavior）」（チャッペル（Chappell））ら、１９９７年１１月２５日発行）、米国特許第５，８９１，５４４号、名称「弾性様挙動を示すウェブ材（Web Materials Exhibiting Elastic-Like Behavior）」（チャッペル（Chappell））ら、１９９９年４月６日発行）、米国特許第５，９１６，６６３号、名称「弾性様挙動を示すウェブ材（Web Materials Exhibiting Elastic-Like Behavior）」（チャッペル（Chappell））ら、１９９９年６月２９日発行）、及び米国特許第６，０２７，４８３号、名称「弾性様挙動を示すウェブ材（Web Materials Exhibiting Elastic-Like Behavior）」（チャッペル（Chappell））ら、２０００年２月２２日発行）により完全に説明されており、これらの全てが参考として本明細書に組み込まれる。いくつかの実施形態では、バックシートは、エラストマーフィルム、フォーム、ストランド、不織布、又はこれら若しくは他の好適な材料と不織布若しくは合成フィルムとの組み合わせを含んでもよい。追加の実施形態としては、伸張可能な不織布材料、延伸性不織布と組み合わせたエラストマーフィルム、延伸性フィルムと組み合わせたエラストマー不織布、及び／又はそれらの組み合わせを含むバックシートが挙げられる。このようなバックシートの実施形態に関する詳細は、米国非仮特許出願名称「吸収性物品用の二軸伸張可能な外側カバー（Biaxially Stretchable Outer Cover for an Absorbent Article）」（速達便番号ＥＶ９１６９３９６２５ＵＳで２００６年１１月１５日出願、及び更に代理人整理番号（Attorney Docket Number）１０６４３で識別）、米国非仮特許出願名称「固定システムを備えた使い捨て着用可能物品（Disposable Wearable Articles with Anchoring Systems）」（速達便番号ＥＶ９１６９３９６４８ＵＳで２００６年１１月１５日出願、及び更に代理人整理番号（Attorney Docket Number）１０６２８Ｑで識別）、及び米国非仮特許出願名称「固定されたコア集成体を有する吸収性物品（Absorbent Article having an Anchored Core Assembly）」（速達便番号ＥＶ９１６９３９６３４ＵＳで２００６年１１月１５日出願、及び更に代理人整理番号（Attorney Docket Number）１０４３２ＭＱで識別）に更に完全に説明されており、これらの全てが参考として本明細書に組み込まれる。
【００２９】
バックシート１４２は、様々な方法でトップシート１４０、吸収性コア１４４、及び／又はおむつ１０２の他の要素に接合されてもよい。例えばバックシートは、接着剤の均一な連続層、接着剤の模様付き層、又は接着剤の別個の線、らせん、若しくは点の配列によって連結されてもよい。一実施形態は、米国特許第４，５７３，９８６号、名称「使い捨て排泄物封入衣類（Disposable Waste-Containment Garment）」（ミネトーラ（Minetola））ら、１９８６年３月４日発行）に開示されているような、接着剤のフィラメントの開放パターン網を利用しており、これは参考として本明細書に組み込まれる。他の実施形態は、米国特許第３，９１１，１７３号（スプレイグ・ジュニア（Sprague, Jr.）、１９７５年１０月７日発行）、米国特許第４，７８５，９９６号（ツィーカー（Ziecker））ら、１９８８年１１月２２日発行）、及び米国特許第４，８４２，６６６号（ウェレニック（Werenicz）、１９８９年６月２７日発行）に示される装置及び方法により例示されるような、らせん模様に渦を巻く接着剤フィラメントの複数の線を利用しており、これらの全てが参考として本明細書に組み込まれる。接着剤としては、Ｈ．Ｂ．フラー社（H. B. Fuller Company）（ミネソタ州セントポール（St. Paul））によって製造され、ＨＬ−１６２０及びＨＬ−１３５８−ＸＺＰとして市販されるものを挙げてもよい。いくつかの実施形態では、バックシートは、熱接着、圧力接着、超音波結合、動的機械的結合、若しくはその他いずれかの好適な取付け手段、又はそれらの組み合わせにより連結される。
【００３０】
トップシート１４０は、様々な方法でバックシート１４２、吸収性コア１４４、及び／又はおむつ１０２の他の要素に接合されてもよい。例えば、トップシート１４０は、おむつ１０２の他の要素へのバックシート１４２の接合に関して上述した方法で連結されてもよい。一実施形態では、トップシート１４０及びバックシート１４２は、シャーシの外縁部に沿って互いに直接的に接合される。別の実施形態では、トップシート及びバックシートは、いくつかの位置では互いに直接的に接合され、他の位置では互いに間接的に接合される。他のトップシート及びバックシート連結構成は、米国仮特許出願番号６０／８１１，７００、名称「多機能封入部材を有する吸収性物品（Absorbent Article Having a Multifunctional Containment Member）」（２００６年６月７日出願）により詳細に説明されており、これが参考として本明細書に組み込まれる。
【００３１】
トップシート１４０は、順応性があり、柔らかな感触であり、及び着用者の皮膚に対して非刺激性であるように構築されてもよい。更にはトップシート１４０の全て又は少なくとも一部分は、液体透過性であって、液体がそれを通って容易に浸透できてもよい。このように、トップシートは、多孔質発泡体、網状発泡体、孔あき不織布又は可塑性フィルム、又は、天然繊維（例えば木又は綿繊維）、合成繊維（例えばポリエステル若しくはポリプロピレン繊維）、若しくは天然繊維と合成繊維の組み合わせの織布又は不織布ウェブなど、広範囲にわたる材料から製造されてもよい。吸収性組立品が繊維を含むならば、繊維は、スパンボンドされているもの、カーディングされているもの、湿式載置されているもの、メルトブローされているもの、水流交絡されているもの、ないしは当該技術分野において既知の別の方法で加工されているものであってもよい。ステープル長さのポリプロピレン繊維のウェブを含むトップシートの一例は、インターナショナルペーパー社（International Paper Company）の一部門であるヴェラテック社（Veratec, Inc.）（マサチューセッツ州ウォルポール（Walpole））によってＰ−８の呼称で製造されている。
【００３２】
成形フィルムトップシートの例は、米国特許第３，９２９，１３５号、名称「先細の毛管を有する吸収性構造体（Absorptive Structures Having Tapered Capillaries）」（トンプソン（Thompson）、１９７５年１２月３０日発行）、米国特許第４，３２４，２４６号、名称「汚れにくいトップシートを有する使い捨て吸収性物品（Disposable Absorbent Article Having A Stain Resistant Topsheet）」（マレイン（Mullane））ら、１９８２年４月１３日発行）、米国特許第４，３４２，３１４号、名称「繊維様特性を示す弾性プラスチックウェブ（Resilient Plastic Web Exhibiting Fiber-Like Properties）」（ラデル（Radel））ら、１９８２年８月３日発行）、米国特許第４，４６３，０４５号、名称「光沢のない可視表面と布状の触感を呈する巨視的に伸張された三次元プラスチックウェブ（Macroscopically Expanded Three-Dimensional Plastic Web Exhibiting Non-Glossy Visible Surface and Cloth-Like Tactile Impression）」（アール（Ahr）ら、１９８４年７月３１日発行）、及び米国特許第５，００６，３９４号、名称「多層高分子フィルム（Multilayer Polymeric Film）」（ベアード（Baird）、１９９１年４月９日発行）に記載されており、これらの全てを参考として本明細書に組み込む。他のトップシートは、米国特許第４，６０９，５１８及び同第４，６２９，６４３号（カーロ（Curro））ら、それぞれ１９８６年９月２日、及び１９８６年１２月１６日発行）に従って作製されてもよく、その両方が参考として本明細書に組み込まれる。このような成形フィルムは、プロクター・アンド・ギャンブル社（The Procter & Gamble Company）（オハイオ州シンシナティ（Cincinnati））から「ドライウィーブ（DRI-WEAVE）」として、またトレデガー社（Tredegar Corporation）（インディアナ州テレホート（Terre Haute））から「クリフ−Ｔ（CLIFF-T）」として入手できる。
【００３３】
いくつかの実施形態では、トップシート１４０は、吸収性コア内に封じ込められた液体から着用者の皮膚を隔離するために、疎水性材料で作製されるか、あるいは疎水性であるように処理される。トップシートが疎水性材料で作製されるならば、液体がトップシートを通り抜けてより迅速に移動するように、トップシートの少なくとも上面は、親水性であるように処理されてもよい。これにより、身体排出物が、トップシートを通過して引き込まれて吸収性コアに吸収されるよりも、トップシートから流出する可能性が低減する。トップシートは、これを界面活性剤で処理するか、あるいは界面活性剤をトップシートに組み入れることによって親水性を付与することが可能である。トップシートを界面活性剤で処理するための好適な方法としては、トップシート材料に界面活性剤を噴霧すること、及び前記材料を界面活性剤中に浸漬することが挙げられる。このような処理と親水性に関するより詳細な考察は、米国特許第４，９８８，３４４号、名称「多層吸収層を備えた吸収性物品（Absorbent Articles with Multiple Layer Absorbent Layers）」（レイシング（Reising））ら、１９９１年１月２９日発行）、及び米国特許第４，９８８，３４５号、名称「急速獲得吸収性コアを備えた吸収性物品（Absorbent Articles with Rapid Acquiring Absorbent Cores）」（レイシング（Reising）、１９９１年１月２９日発行）に含まれ、これらの全てを参考として本明細書に組み込む。トップシートに界面活性剤を組み込むいくつかの方法に関するより詳細な考察は、米国法定発明登録番号Ｈ１６７０（アジズ（Aziz））ら、１９９７年７月１日公開）に見出すことができ、これらの全てを参考として本明細書に組み込む。
【００３４】
いくつかの実施形態では、トップシート１４０は、疎水性である孔あきウェブ又はフィルムを含んでもよい。これは、親水性化処理工程を製造プロセスから無くすことにより、及び／又は、以下に記述されるような疎水性処理剤、例えば、スコッチガード（SCOTCHGUARD）のようなポリテトラフルオロエチレン化合物若しくは疎水性ローション組成物をトップシートに塗布することにより達成されてもよい。このような実施形態では、開口は、顕著な抵抗なく、尿のような水性流体の浸透を可能にするのに十分な大きさであってもよい。様々な孔あきトップシートに関するより詳細な考察は、米国特許第５，３４２，３３８号、名称「低粘度糞便用の使い捨て吸収物品（Disposable Absorbent Article for Low-Viscosity Fecal Material）」（ロー（Roe）、１９９４年８月３０日発行）、米国特許第５，９４１，８６４号、名称「排泄物の貯蔵を改良した使い捨て吸収体（Disposable Absorbent Article having Improved Fecal Storage）」（ロー（Roe）、１９９９年８月２４日発行）、米国特許第６，０１０，４９１号、名称「粘性流体の排泄物を処理する物品（Viscous Fluid Bodily Waste Management Article）」（ロー（Roe））ら、２０００年１月４日発行）、及び米国特許第６，４１４，２１５号、名称「低粘度糞便物を貯蔵する能力を有する使い捨て吸収性物品（Disposable Absorbent Article having Capacity to Store Low-Viscosity Fecal Material）」、（ロー（Roe）、２０００２年７月２日発行）に見出すことができ、これらの全てを参考として本明細書に組み込む。
【００３５】
トップシート１４０のいずれかの部分は、ローションによってコーティングされてもよく、例えば米国特許第５，６０７，７６０号、名称「エモリエント剤及びポリオールポリエステル固定化剤を含むローション付けされたトップシートを有する使い捨て吸収製品（Disposable Absorbent Article Having A Lotioned Topsheet Containing an Emollient and a Polyol Polyester Immobilizing Agent）」（ロー（Roe）、１９９７年３月４日発行）、米国特許第５，６０９，５８７号、名称「液状ポリオールポリエステル皮膚軟化剤及び固定化剤を含むローショントップシートを有するおむつ（Diaper Having A Lotion Topsheet Comprising A Liquid Polyol Polyester Emollient And An Immobilizing Agent）」（ロー（Roe）、１９９７年３月１１日発行）、米国特許第５，６３５，１９１号、名称「ポリシロキサン皮膚軟化剤を含有するローション処理されたトップシートを有するおむつ（Diaper Having A Lotioned Topsheet Containing A Polysiloxane Emollient）」（ロー（Roe））ら、１９９７年６月３日発行）、米国特許第５，６４３，５８８号、名称「ローション剤を施されたトップシートを有する吸収性用品（Diaper Having A Lotioned Topsheet）」（ロー（Roe））ら、１９９７年７月１日発行）、及び米国特許第６，４９８，２８４号、名称「孔あきトップシート上にスキンケア組成物を有する使い捨て吸収性製品（Disposable Absorbent Article with a Skin Care Composition on an Apertured Top Sheet）」（ロー（Roe）、２００２年１２月２４日発行）に記載されているトップシートであり、これらの全てを参考として本明細書に組み込む。ローションは、単独で又は上に記載された疎水性化処理剤のような別の剤と組み合わせて作用してもよい。トップシートはまた、抗菌剤を含んでも、抗菌剤で処理されてもよく、このいくつかの例が、ＰＣＴ公開番号ＷＯ  ９５／２４１７３号、名称「臭気制御のためトップシートの中に抗菌剤を含有する吸収性製品（Absorbent Articles Containing Antibacterial Agents in the Topsheet For Odor Control）」（テレーサ・ジョンソン（Theresa Johnson）、１９９５年９月１４日公開）に開示されており、これが参考として本明細書に組み込まれる。更には、トップシート、バックシート、及びトップシート若しくはバックシートのいずれかの部分には、より布に近い外観を持たせるためにエンボス加工及び／又はつや消し仕上げを施してもよい。
【００３６】
吸収性物品の実施形態はまた、排泄物を受け入れて封じ込めるポケット、排泄物用の空洞を提供するスペーサ、物品内での排泄物の移動を制限するバリア、おむつ内に堆積した排泄物を受けて封じ込める隔室若しくは空洞など、あるいはそれらのいずれかの組み合わせを含んでもよい。吸収性製品に使用するためのポケット及びスペーサの例は、米国特許第５，５１４，１２１号、名称「排出性スペーサを有するおむつ（Diaper Having Expulsive Spacer）」（ロー（Roe））ら、１９９６年５月７日発行）、米国特許第５，１７１，２３６、名称「コアスペーサを有する使い捨て吸収性物品（Disposable Absorbent Article Having Core Spacers）」（ドライアー（Dreier）ら、１９９２年１２月１５日発行）、米国特許第５，３９７，３１８号、名称「ポケットカフを有する吸収物品（Absorbent Article Having A Pocket Cuff）」（ドライアー（Dreier）、１９９５年３月１４日発行）、米国特許第５，５４０，６７１号、名称「頂点を有するポケットカフを有する吸収性物品（Absorbent Article Having A Pocket Cuff With An Apex）」ドライアー（Dreier）、１９９６年７月３０日発行）、及びＰＣＴ特許出願ＷＯ  ９３／２５１７２（１９９３年１２月３日公開）、名称「衛生用吸収性物品に使用するスペーサ及びこのようなスペーサを有する使い捨て吸収性物品（Spacers For Use In Hygienic Absorbent Articles And Disposable Absorbent Articles Having Such Spacer）」、及び米国特許第５，３０６，２６６号、名称「使い捨て吸収材製品に使用する可撓性スペーサ（Flexible Spacers For Use In Disposable Absorbent Articles）」（フリーランド（Freeland）、１９９４年４月２６日発行）に記載されており、これらの全てが参考として本明細書に組み込まれる。隔室又は空洞の例は、米国特許第４，９６８，３１２号、名称「使い捨て糞便区画化おむつ（Disposable Fecal Compartmenting Diaper）」（カーン（Khan）、１９９０年１１月６日発行）、米国特許第４，９９０，１４７号、名称「排泄物隔離用の弾性ライナーを有する吸収性物品（Absorbent Article With Elastic Liner For Waste Material Isolation）」（フリーランド（Freeland）、１９９１年２月５日発行）、米国特許第５，０６２，８４０号、名称「使い捨ておむつ（Disposable Diapers）」（ホルト（Holt）ら、１９９１年１１月５日発行）、米国特許第６，４８２，１９１号、名称「細長いスリット開口部を有する伸張可能なトップシート（Elasticated Topsheet with an Elongate Slit Opening）」（ロー（Roe））ら、２００２年１１月１９日発行）、及び米国特許第５，２６９，７５５号、名称「使い捨て吸収性物品用の三分割トップシート及びその三分割トップシートを有する使い捨て吸収性物品（Trisection Topsheets For Disposable Absorbent Articles And Disposable Absorbent Articles Having Such Trisection Topsheets）」（フリーランド（Freeland））ら、１９９３年１２月１４日発行）に開示されており、これらの全てが参考として本明細書に組み込まれる。好適な横断方向バリアの例は、米国特許第５，５５４，１４２号、名称「複数の有効高さの横方向の仕切りを有する吸収性製品（Absorbent Article Having Multiple Effective Height Transverse Partition）」（ドライアー（Dreier））ら、１９９６年９月１０日発行）、ＰＣＴ特許ＷＯ  ９４／１４３９５、名称「直立した横断方向仕切りを有する吸収性物品（Absorbent Article Having An Upstanding Transverse Partition）」（��リーランド（Freeland））ら、１９９４年７月７日公開）、及び米国特許第５，６５３，７０３号、「角度付きの直立した横断方向仕切りを有する吸収性物品（Absorbent Article Having Angular Upstanding Transverse Partition）（ロー（Roe））ら、１９９７年８月５日発行）に記載されており、これらの全てが参考として本明細書に組み込まれる。上記引用した参考文献の全てが参考として本明細書に組み込まれる。上述した空洞、ポケット及びバリアに加えて又はそれらの代わりに、吸収性物品の実施形態はまた、粘性流体の排泄物、例えば参考として本明細書に組み込まれる米国特許第６，０１０，４９１号（ロー（Roe））ら、２０００年１月４日発行）に記載されているような垂れやすい糞尿を効果的かつ効率的に受け入れ、収容及び／又は不動化することのできる排泄物処理要素を含んでもよい。
【００３７】
吸収性コア１４４は、一般的に圧縮性であり、適合性があり、着用者の皮膚に対して非刺激性であり、尿などの液体及び他の身体排出物を吸収し保持することのできる吸収性材料を含んでもよい。吸収性コア１４４はまた、多種多様の大きさ及び形状（例えば、矩形、砂時計形、Ｔ字形、非対称形等）に製造することができる。吸収性コア１４４はまた、使い捨ておむつ及び他の吸収性物品に通常使用される多種多様の液体−吸収性素材を含んでもよい。一例において、吸収性コアは、エアフェルトと一般に呼ばれる粉砕木材パルプを含む。他の吸収性材料の例としては、縮みセルロース詰め物（creped cellulose wadding）、コフォームを含むメルトブローポリマー、化学的に硬化されて変性若しくは架橋されたセルロースファイバー、ティッシュラップ及びティッシュラミネートを含むティッシュ、吸収性フォーム、吸収性スポンジ、超吸収性ポリマー、吸収性ゲル材料、又はその他いずれかの既知の吸収性材料若しくは材料の組み合わせが挙げられる。
【００３８】
吸収性コア１４４の構成及び構造は、多様であってもよい（例えば、吸収性コア（１つ又は複数）又は他の吸収性構造（１つ又は複数）は、多様なキャリパーゾーン、親水性勾配、超吸収性勾配、又はより低い平均密度及びより低い平均坪量の獲得区域を有してもよく、あるいは１つ以上の層又は構造体を含んでもよい）ことを理解すべきである。
【００３９】
代表的な吸収性構造体は、米国特許第４，６１０，６７８号、名称「高密度吸収性構造体（High-Density Absorbent Structures）」（ワイズマン（Weisman））ら、１９８６年９月９日発行）、米国特許第４，６７３，４０２号、名称「２層コアを有する吸収性物品（Absorbent Articles With Dual-Layered Cores）」（ワイズマン（Weisman）ら、１９８７年６月１６日発行）、米国特許第４，８３４，７３５号、名称「より低い密度及びより低い坪量の獲得区域を有する高密度吸収性部材（High Density Absorbent Members Having Lower Density and Lower Basis Weight Acquisition Zones）」（アルマニー（Alemany）ら、１９８９年５月３０日発行）米国特許第４，８８８，２３１号、名称「ダスティング層を有する吸収性コア（Absorbent Core Having A Dusting Layer）」（アングシュタット（Angstadt）、１９８９年１２月１９日発行）、米国特許第５，１３７，５３７号、名称「個別化されたポリカルボン酸架橋木材パルプセルロース繊維を含有する吸収性構造（Absorbent Structure Containing Individualized, Polycarboxylic Acid Crosslinked Wood Pulp Cellulose Fibers）」（ヘロン（Herron）ら、１９９２年８月１１日発行）、米国特許第５，１４７，３４５号、名称「失禁管理用の高性能吸収性物品（High Efficiency Absorbent Articles For Incontinence Management）」（ヤング（Young）ら、１９９２年９月１５日発行）、米国特許第５，３４２，３３８号、名称「低粘度糞便用の使い捨て吸収物品（Disposable Absorbent Article For Low-Viscosity Fecal Material）」（ロー（Roe）、１９９４年８月３０日発行）、米国特許第５，２６０，３４５号、名称「水性体液用の吸収性フォーム材料及びこのような材料を含有する吸収性物品（Absorbent Foam Materials For Aqueous Body Fluids and Absorbent Articles Containing Such Materials）」（デマレーズ（DesMarais）ら、１９９３年１１月９日発行）、米国特許第５，３８７，２０７号、名称「湿潤までは薄い、水性体液用の吸収体フォーム材料及びその製造方法（Thin-Until-Wet Absorbent Foam Materials For Aqueous Body Fluids And Process For Making Same）」（ダイヤー（Dyer）ら、１９９５年２月７日発行）、及び米国特許第５，６５０，２２２号、名称「非常に高い水対油の比を有する高内相エマルションから作製された水性流体用の吸収性フォーム材料（Absorbent Foam Materials For Aqueous Fluids Made From high Internal Phase Emulsions Having Very High Water-To-Oil Ratios）」（デマレーズ（DesMarais）ら、１９９７年７月２２日発行）に記載されており、これらの全てを参考として本明細書に組み込む。
【００４０】
吸収性コア１４４はまた、多層化された構造を有してもよい。様々なタイプの多層吸収性コアに関するより詳細な考察は、米国特許第５，６６９，８９４号、名称「良好な湿潤一体性及び比較的高濃度のヒドロゲル形成吸収性ポリマーを有する体液用の吸収性部材（Absorbent Members for Body Fluids having Good Wet Integrity and Relatively High Concentrations of Hydrogel-forming Absorbent Polymer）」（ゴールドマン（Goldman）ら、１９９７年９月２３日発行）、米国特許第６，４４１，２６６号、名称「ヒドロゲル形成吸収性ポリマーを用いた体液用の吸収性部材（Absorbent Members for Body Fluids using Hydrogel-forming Absorbent Polymer）」（ダイヤー（Dyer）ら、２００２年８月２６日発行）、米国特許第５，５６２，６４６号、名称「良好な湿潤一体性及び高い多孔性を有する比較的高濃度のヒドロゲル形成吸収性ポリマーを有する体液用の吸収性部材（Absorbent Members for Body Fluids having Good Wet Integrity and Relatively High Concentrations of Hydrogel-forming Absorbent Polymer having High Porosity）」（ゴールドマン（Goldman）ら、１９９６年１０月１０日発行）、欧州特許ＥＰ０５６５６０６Ｂ１（１９９５年３月８日公開）、米国特許公開２００４／０１６２５３６Ａ１（２００４年８月１９日公開）、米国特許公開２００４／０１６７４８６Ａ１（２００４年８月２６日公開）、及びＰＣＴ公開番号ＷＯ  ２００６／０１５１４１号（２００６年２月９日公開）に見出すことができ、これらの全てが参考として本明細書に組み込まれる。いくつかの実施形態では、吸収性物品は、伸張可能である吸収性コアを含む。このような構成において、吸収性コアは、シャーシの他の材料と共に長手方向及び／又は横方向に延びるよう適合されてもよい。吸収性コアはまた、様々な方法でシャーシの他の構成要素と連結され得る。例えば、おむつは、「浮いたコア」構成又は「バケット」構成を含んでもよく、ここではおむつは、物品を着用者上で移動させる傾向のある力を収集するように構成され得る固定システムを含む。このような固定システムはまた、身体の様々な部分に接触することにより、それ自体を着用者の身体に固定するように構成され得る。このようにして、固定システムは、固定することにより得られる保持力で収集された移動力を均衡させることができる。得られた保持力で収集された移動力を均衡させることにより、固定システムは、使い捨て着用可能吸収性物品を着用者の所定の場所に保持するのを少なくとも支援することができる。様々な浮いたコア構成及び／又はバケットコア構成に関するより詳細な考察は、米国仮特許出願番号６０／８１１，７００、名称「多機能封入部材を有する吸収性物品（Absorbent Article Having a Multifunctional Containment Member）」（２００６年６月７日出願）、米国非仮特許出願、名称「固定システムを有する使い捨て着用可能物品（Disposable Wearable Articles with Anchoring Systems）」（速達便番号ＥＶ９１６９３９６４８ＵＳで２００６年１１月１５日出願、及び更に代理人整理番号（Attorney Docket Number）１０６２８Ｑで識別）、及び米国非仮特許出願、名称「固定されたコア集成体を有する吸収性物品（Absorbent Article having an Anchored Core Assembly）」（速達便番号ＥＶ９１６９３９６３４ＵＳで２００６年１１月１５日出願、及び更に代理人整理番号（Attorney Docket Number）１０４３２ＭＱで識別）に見出すことができ、これらの全てが参考として本明細書に組み込まれる。
【００４１】
おむつ１０２はまた、例えば図１に示した少なくとも１つの弾性的ウエスト構造部１５２を含んでもよく、これは改善されたフィット性及び排泄物封入性を提供する。弾性的ウエスト機構１５２は、弾性的に拡張及び収縮して着用者の腰に動的にフィットするように構成されていてもよい。弾性的ウエスト機構１５２は、吸収性コア１４４から少なくとも長手方向外側に延び、おむつ１０２の第１外縁部１３０の少なくとも一部分を概ね形成してもよい。加えて、弾性的ウエスト機構は、第１耳部１０８及び第２耳部１１０を含むように横方向に延びてもよい。弾性的ウエスト機構１５２又はそのいずれかの構成要素は、おむつに固着された１つ以上の別個の要素を含んでもよいものの、弾性的ウエスト機構は、おむつの他の要素、例えばバックシート１４２、トップシート１４０、又はバックシートとトップシートの両方の延長部として構成されてもよい。加えて、弾性的ウエスト機構１５２は、シャーシ１０６の外側にある衣類に面する表面１３６の上、内側にある着用者若しくは身体に面する表面１３４の上、又は内側面と外側面との間に配置されてもよい。
【００４２】
弾性的ウエスト機構１５２は、多数の異なる構成に構成されてもよく、これには米国特許第４，５１５，５９５号（キービット（Kievit）ら、１９８５年５月７日発行）、米国特許第４，７１０，１８９号（ラッシュ（Lasch）、１９８７年１２月１日発行）、米国特許第５，１５１，０９２号（ブエル（Buell）、１９９２年９月９日発行）、及び米国特許第５，２２１，２７４号（ブエル（Buell）、１９９３年６月２２日発行）に記載されるものが含まれ、これらの全てを参考として本明細書に組み込む。他の腰部構成としては、ウエストキャップ機構、例えば米国特許第５，０２６，３６４号（ロバートソン（Robertson）、１９９１年６月２５日発行）及び米国特許第４，８１６，０２５号（フォアマン（Foreman）、１９８９年３月２８日発行）に記載されているものを挙げてもよく、その両方が参考として本明細書に組み込まれる。
【００４３】
図１に示した第１耳部１０８及び第２耳部１１０、並びに図４Ａに示した第３耳部１４６及び第４耳部１４８、並びに他のものは、シャーシ１０６と一体的に形成されるものとして例示されているが、他の実施形態は、シャーシと連結した別個の要素である耳部を含んでもよいことを理解すべきである。いくつかの実施形態では、耳部は伸張可能であるように構成され、またいくつかの実施形態では、弾性伸張可能な耳部を有するのが好ましいことがある。以下に更に詳細に説明するように、耳部はまた、互いに及び／又はシャーシ上の他の締着具要素と解放可能に連結するよう適合された１つ以上の締着具又は締着要素１５０を含んでもよい。伸張可能な耳部に関するより詳細な考察は、米国特許第４，８５７，０６７号、名称「シャーリングを付けた耳部を有する使い捨ておむつ（Disposable Diaper Having Shirred Ears）」（ウッド（Wood）ら、１９８９年８月１５日発行）、米国特許第５，１５１，０９２号（ブエル（Buell）ら、１９９２年９月２９日発行）、米国特許第５，６７４，２１６号（ブエル（Buell）ら、１９９７年１０月７日発行）、米国特許第６，６７７，２５８号（キャロル（Carroll）ら、２００４年１月１３日発行）、米国特許第４，３８１，７８１号（シアラファ（Sciaraffa）ら、１９８３年５月３日発行）、米国特許第５，５８０，４１１号、名称「吸収性物品用のサイドパネルを製造するためのゼロスクラップ方法（Zero Scrap Method For Manufacturing Side Panels For Absorbent Articles）」（ニース（Nease）ら、１９９６年１２月３日発行）、及び米国特許第６，００４，３０６号、名称「多方向性の延伸性サイドパネルを有する吸収性物品（Absorbent Article With Multi-Directional Extensible Side Panels）」（ローブレイス（Robles）ら、１９９９年１２月２１日発行）に見出すことができ、これらの全てが参考として本明細書に組み込まれる。耳部はまた、米国特許公開ＵＳ２００５／０２１５９７２Ａ１（２００５年９月２９日公開）、及び米国特許公開ＵＳ２００５／０２１５９７３Ａ１（２００５年９月２９日公開）に記載されたものなど、伸張帯又は要素の様々な幾何学的配置及び配列を含んでもよく、これらの全てが参考として本明細書に組み込まれる。
【００４４】
図１に示すように、おむつ１０２は、液体及び他の身体排出物の封入性を改善し得るレッグカフ１５４を含んでもよい。具体的には、弾性ガスケットレッグカフは、着用者の大腿の周りの封止効果を提供して漏れを防止し得る。おむつを着用するとき、レッグカフは、着用者の大腿と接触して配置されてもよく、その接触の程度及び接触圧力は、着用者の身体上のおむつの配向、並びに長手方向軸線に対する耳部及び／又はたくし込みフラップの配向によって部分的には決まってもよいことを理解すべきである。レッグカフ１５４は、様々な方法でおむつ１０２上に配置されてもよい。例えば、レッグカフ１５４は、シャーシ１０６の外側にある衣類に面する表面１３６の上、内側にある着用者若しくは身体に面する表面１３４の上、又は内側面と外側面との間に配置されてもよい。レッグカフ１５４はまた、レッグバンド、サイドフラップ、バリアカフ、又は伸張可能なカフと呼ばれてもよい。参考として本明細書に組み込まれる米国特許第３，８６０，００３号には、弾性脚部カフ（ガスケッティングカフ）を提供するために、サイドフラップ及び１つ以上の弾性部材を有する収縮可能な脚部開口部を提供する使い捨ておむつが記載されている。その両方が参考として本明細書に組み込まれる米国特許第４，８０８，１７８号及び同第４，９０９，８０３号（アジズ（Aziz）ら、それぞれ１９８９年２月２８日、及び１９９０年３月２０日発行）には、脚部領域の封入性を改善する「立ち上がった」弾性フラップ（バリアカフ）を有する使い捨ておむつが記載されている。その両方が参考として本明細書に組み込まれる米国特許第４，６９５，２７８号及び第４，７９５，４５４号（それぞれローソン（Lawson）、１９８７年９月２２日、及びドラグー（Dragoo）、１９８９年１月３日発行）には、ガスケッティングカフ及びバリアカフを含む二重カフを有する使い捨ておむつが記載されている。いくつかの実施形態では、以上に記載されたように、レッグカフの全て又は一部分をローションで処理することは望ましい場合がある。レッグカフに加えて、おむつはまた、バリアカフの外側寄りに位置する１つ以上の弾性ストランドを有する弾性ガスケッティングカフを含み得る。排泄物封入性を改善するために、レッグカフは、参考として本明細書に組み込まれる米国特許公開２００６０１８９９５６Ａ１、名称「吸収性物品に使用する疎水性表面コーティングされた軽量不織布積層体（Hydrophobic Surface Coated Light-Weight Nonwoven Laminates for Use in Absorbent Articles）」（２００６年８月２４日公開）に記載されるような、疎水性表面コーティングで処理されてもよい。
【００４５】
先に述べたとおり、おむつ１０２は、おむつを着用者上の所定の位置に固定するのに役立つ、様々な位置において締着具要素１５０を含んでもよい。図６Ａ〜７Ｂは、締着具要素１５０がシャーシ１０６上で位置し得る様々な位置を例示している。例えば、図６Ａは、シャーシの外側にある衣類に面する表面上の様々な位置における締着具要素を示し、図６Ｂは、シャーシの内側にある身体に面する表面上の様々な位置における締着具要素を示す。図６Ａを参照すると、シャーシ１０６は、第１耳部１０８及び第２耳部１１０のそれぞれに隣接したシャーシの内側面１３４の上に位置する締着具要素１５０ａ及び締着具要素１５０ｂを含んでもよい。追加の締着具要素１５０ｃ及び締着具要素１５０ｄもまた、第２腰部領域１２２及びたくし込みフラップ１１２のそれぞれに隣接したシャーシの内側面１３４の上に位置してもよい。図６Ｂを参照すると、シャーシ１０６は、第１耳部１０８及び第２耳部１１０のそれぞれに隣接したシャーシの外側面１３６の上に位置する締着具要素１５０ｅ及び締着具要素１５０ｆを含んでもよい。追加の締着具要素１５０ｇ及び締着具要素１５０ｈもまた、第２腰部領域１２２及びたくし込みフラップ１１２のそれぞれに隣接したシャーシの外側面１３６の上に位置してもよい。図７Ａ及び７Ｂは、締着具要素１５０が、第３耳部１４６及び第４耳部１４８を有するシャーシ１０６上で位置し得る追加の位置を例示している。図７Ａに示すように、シャーシ１０６は、第３耳部１４６及び第４耳部１４８のそれぞれに隣接したシャーシの内側面１３４の上に位置する締着具要素１５０ｊ及び締着具要素１５０ｋを含んでもよい。図７Ｂに示すように、シャーシ１０６は、第３耳部１４６及び第４耳部１４８のそれぞれに隣接したシャーシの外側面１３６の上に位置する締着具要素１５０ｌ及び締着具要素１５０ｍを含んでもよい。
【００４６】
図６Ａ〜７Ｂは締着具要素の位置の例を例示しており、したがって、例示されたものよりも少ない数又は多い数の締着具要素を含んでもよく、また様々な形状及び寸法が画定されてもよいことを理解すべきである。例えば、複数の締着具要素１５０は、たくし込みフラップ１１２に隣接したシャーシ１０６の内側面及び／又は外側面の上に位置し、たくし込みフラップをシャーシの１以上の領域と解放可能に連結させてもよい。また締着要素は、シャーシ上の対応する締着要素と連結するよう適合される必要がなく、着用者への物品適用時に更なる柔軟性を介助者に提供することも理解すべきである。換言すれば、締着要素は、別の締着要素とは対照的に、シャーシ材料と直接的に連結するよう適合され得る。加えて、締着要素は、シャーシ上の様々な区域又は領域の大部分を覆うように寸法設定され得る。例えば、たくし込みフラップによって画定される全域又はその大部分は、耳部の全域又はその大部分を覆う対応するループと連結するよう適合された締着具、例えば微小なフック（microhooks）で覆われていてもよく、あるいは逆もまた同様である。更に別の例では、たくし込みフラップ及び／又は耳部の大部分又は全体が、貼着剤で覆われていてもよい。いくつかの実施形態では、所望の固定フィットを容易に得るための介助者の能力は、締着要素で覆われたおむつの区域の寸法を増大させることによって向上してもよい。
【００４７】
以下の説明は図１Ａを参照するものであるが、以下の説明は、他の耳部及びたくし込みフラップ構成、例えば図６Ａ〜７Ｂに示した耳部１０８、耳部１１０、耳部１４６、耳部１４８及びたくし込みフラップ１１２にも適用可能であることを理解すべきである。図１Ａに示すように、それぞれの耳部１０８及び耳部１１０の内側面１３４及び外側面１３６は、耳部周辺１５８によって境界付けされる耳部区域１５６を有する。耳部周辺１５８は、横方向内側寄りの耳縁部１６０、横方向外側寄りの耳縁部１６２、長手方向外側寄りの耳縁部１６４、及び長手方向内側寄りの耳縁部１６６によって画定される。横方向内側寄りの耳縁部１６０の位置は、まず股部領域１２０内のおむつの側縁部１２６、１２８上で、側縁部１２６、１２８間の最も狭い幅と一致する位置に点１６８を位置決めし、次いで点１６８を通る線１７０を、物品の長手方向軸線１１４に対して平行に描くことによって画定される。また図１Ａに示すように、それぞれの耳部１０８及び耳部１１０は、横方向外側寄りの耳縁部１６２に隣接した遠位耳部分１７２、横方向内側寄りの耳縁部１６０に隣接した近位耳部分１７４、及び遠位耳部分１７２と近位耳部分１７４との間の中央耳部分１７６を含む。いくつかの実施形態では、遠位耳部分、中央耳部分、及び近位耳部分のそれぞれは、横方向内側寄りの耳縁部１６０と横方向外側寄りの耳縁部１６２との間の距離の１／３によって画定される横方向の幅を有する。
【００４８】
いくつかの実施形態では、少なくとも１つの表面、例えば少なくとも１つの耳部１０８、耳部１１０、耳部１４６、耳部１４８の外側面１３６又は内側面１３４の相当な部分が、締着要素１５０で覆われている。例えば、いくつかの実施形態では、少なくとも１つの耳部の少なくとも１つの表面は、その耳部面積の少なくとも約２５％が締着要素で覆われていてもよく、これらの締着要素は、物品の別の部分と締着するよう適合される。他の実施形態では、少なくとも１つの耳部の少なくとも１つの表面は、その耳部面積の少なくとも約５０％が締着要素で覆われていてもよく、これらの締着要素は、物品の別の部分と締着するよう適合される。更に他の実施形態では、少なくとも１つの耳部の少なくとも１つの表面は、その耳部面積の少なくとも約７５％が締着要素で覆われていてもよく、これらの締着要素は、物品の別の部分と締着するよう適合される。
【００４９】
いくつかの実施形態では、締着要素１５０で少なくとも部分的に覆われた耳部１０８、耳部１１０、耳部１４６、耳部１４８の少なくとも１つの表面は、身体に面する表面１３４であることを理解すべきである。他の実施形態では、締着要素で少なくとも部分的に覆われた耳部の表面は、衣類に面する表面１３６である。更に他の実施形態では、身体に面する表面及び衣類に面する表面の両方の少なくとも一部が、締着要素で少なくとも部分的に覆われている。いくつかの実施形態では、身体に面する表面上の締着要素で覆われた耳部面積の割合は、衣類に面する表面上の締着要素で覆われた耳部面積の割合と同一であるか又は異なっていてもよい。
【００５０】
いくつかの実施形態は、身体に面する表面１３４及び衣類に面する表面１３６の一方又は両方の上に配置された締着要素を含み、これらの締着要素が適用範囲の勾配（gradient of coverage）を画定していてもよい。例えば、締着要素１５０で覆われた遠位耳部分１７２の面積の割合は、締着要素で覆われ得る中央耳部分１７６又は近位耳部分１７４の面積の割合と異なっていてもよい。一例において、締着要素で覆われた遠位耳部分の面積の割合は、締着要素で覆われた近位耳部分の面積の割合よりも高くてもよい。別の例において、締着要素で覆われた遠位耳部分の面積の割合は、締着要素で覆われた中央耳部分の面積の割合よりも高くてもよい。他の例において、締着要素で覆われた中央部の面積の割合は、締着要素で覆われた遠位及び／又は近位耳部分の面積よりも高くてもよい。例えば長手方向、横方向、及び／又はそれらの組み合わせの方向に延在する勾配など、適用範囲の勾配（gradients of coverage）の他の構成も企図されていることを理解すべきである。
【００５１】
図１Ａに示すように、たくし込みフラップ１１２は、第２外縁部１３２とたくし込みフラップ折り返し線１８２との間に延びるおむつの側縁部１２６及び側縁部１２８の部分によって画定された、たくし込みフラップ周辺１８０によって境界付けされたたくし込みフラップ区域１７８を有する。たくし込みフラップ折り返し線１８２は、耳部１０８、耳部１１０、耳部１４６、耳部１４８の上に折り重ねられたときに、たくし込みフラップ１１２を横切って延びる折り返し線である。いくつかの実施形態では、たくし込みフラップ１１２の外側面１３６及び内側面１３４のいずれか少なくとも１つの表面のたくし込みフラップ区域の少なくとも２５％は、物品１００の少なくとも１つの他の部分と連結するよう適合された締着要素１５０で覆われている。他の実施形態では、少なくとも１つの表面のたくし込みフラップ区域の少なくとも約５０％、又は、少なくとも約７５％、又は、少なくとも約１００％は、物品の少なくとも１つの他の部分と連結するよう適合された締着要素で覆われていてもよい。いくつかの実施形態では、たくし込みフラップ１１２の（平らに展開した折り畳まれていない非収縮構成において見たときの）衣類に面する表面は、締着要素で少なくとも部分的に覆われた表面である。いくつかの実施形態では、たくし込みフラップ上の締着要素は、少なくとも１つの耳部の衣類に面する表面上の締着要素と少なくとも連結するよう適合される。他の実施形態では、たくし込みフラップ上の締着要素は、少なくとも１つの耳部１０８、耳部１１０、耳部１４６、耳部１４８の着用者に面する表面１３４上の締着要素と少なくとも連結するよう適合される。
【００５２】
いくつかの実施形態では、締着要素１５０は、物品１００の股部１２０及び／又は腰部領域１１８、１２２の衣類に面する表面１３６上で物品周辺の内側寄りに配置されてもよい。このような締着要素は、耳部及びたくし込みフラップ表面のいずれかのいかなる締着要素の追加又は代用であってもよい。このような実施形態では、物品の耳部及び／又はたくし込みフラップ区域の約５０％に相当する物品の面積が、締着要素で覆われていてもよい。他の実施形態では、物品の耳部及び／又はたくし込みフラップ区域の約１００％に相当する物品の面積が、締着要素で覆われていてもよい。更に他の実施形態では、耳部及び／又はたくし込みフラップ区域の約２００％に相当する物品の面積が、締着要素で覆われていてもよい。更に他の実施形態では、乳児の寸法及び均衡の幅広い変化に適応するために、締着要素を含む物品の面積は、耳部又はたくし込みフラップを物品、耳部、又はたくし込みフラップ表面に連結する場所に関して、顕著な柔軟性を介助者に与えるのに十分な大きさである。
【００５３】
様々なタイプの締着要素１５０がおむつ１０２と共に使用されてもよいことを理解すべきである。先行する実施形態のいずれかにおいて、個々の締着要素は、比較的小さくてもよい。例えば、個々の締着要素は、触覚的又は視覚的に目立たないように十分に小さくてもよい。いくつかの実施形態では、締着要素は、基部表面から延出する突出部を含む。基部表面は、シャーシ１０６の内側面１３４若しくは外側面１３６、又はこれに取付けられた別個の要素、例えばフィルムによって画定されてもよいことを理解すべきである。突出部は、突出部との連結部を形成することのできる繊維状構造体と絡まるよう適合されてもよい。他の実施形態では、突出部は、接着又は他の機構、例えば相互連結、若しくは連結部を形成する機構の組み合わせを介して接合するよう適合されてもよい。突出部は、機械的締着装置又はフック・ループ式締着装置の一部として当該技術分野において既知の、フック又はフック状構造体の形態であってもよい。突出部はまた、ロッド、ノブ、若しくは他の不規則な形状の物体、毛髪状の物体、又は他の繊維状突出部の形態であってもよい。突出部の形態に関わらず、突出部の高さは、突出部が基部表面から突出部の最高点まで延びる最大垂直距離として画定され得る。いくつかの実施形態では、突出部の高さは、約０．５ｍｍ未満である。他の実施形態では、突出部の高さは、約０．２５ｍｍ未満である。更に他の実施形態では、突出部の高さは、約０．１ｍｍ未満である。更に他の実施形態では、突出部の高さは、約０．０１ｍｍ未満である。比較的低い突出部の高さを有する締着要素を含む物品において、締着要素で覆われた表面積は、比較的高い突出部の高さを有する締着要素を含む他の実施形態におけるそれより大きくてもよい。このような構成は、比較的低い突出部の高さを有する締着要素を有する物品にとって有利なことがあるが、それは、このような突出部の高さの場合、強度がより低いか、あるいは、単独ではループランディング地帯又は不織布取付け地帯などからのストランドを捕捉する可能性が低いことがあるためである。
【００５４】
一例において、締着要素は、フック＆ループ締着具、例えば３Ｍ又はベルクロインダストリーズ（Velcro Industries）から入手可能なものを含む。他の例において、締着要素は、接着剤及び／又はテープタブ（tap tabs）を含む一方、他の締着要素は、マクロ締着具又はフック（例えば、マクロ（MACRO）又は「ボタン状」締着具）として構成される。いくつかの例示の、代表的な締着要素及び装置は、米国特許第３，８４８，５９４号、名称「使い捨ておむつ用のテープ締着装置（Tape Fastening System for Disposable Diaper）」（ブエル（Buell）、１９７４年１１月１９日発行）、米国特許第Ｂ１  ４，６６２，８７５号、名称「吸収性物品（Absorbent Article）」（ヒロツ（Hirotsu）ら、１９８７年５月５日発行）、米国特許第４，８４６，８１５号、名称「改善された締着装置を有する使い捨ておむつ（Disposable Diaper Having An Improved Fastening Device）」（スクリップス（Scripps）、１９８９年７月１１日発行）、米国特許第４，８９４，０６０号、名称「改善されたフック締着具部分を有する使い捨ておむつ（Disposable Diaper With Improved Hook Fastener Portion）」（ネステガード（Nestegard）、１９９０年１月１６日発行）、米国特許第４，９４６，５２７号、名称「感圧性接着締着具及びその作製方法（Pressure-Sensitive Adhesive Fastener And Method of Making Same）」（バトレル（Battrell）、１９９０年８月７日発行）、及び米国特許第５，１５１，０９２号（ブエル（Buell）、１９９２年９月２９日発行）、及び米国特許第５，２２１，２７４号（ブエル（Buell）、１９９３年６月２２日発行）に開示されており、これらの全てが参考として本明細書に組み込まれる。締着具及び／又は締着要素の更なる例は、米国特許第６，２５１，０９７号及び第６，４３２，０９８号、米国特許出願１１／２４０，９４３、名称「突然の開放を防止するマクロ締着具（Anti-Pop Open Macrofasteners）」（２００５年９月３０日出願）、及び米国特許出願１１／２４０，８３８、名称「複数の係合配向を有する締着装置（A Fastening System Having Multiple Engagement Orientations）」（２００５年９月３０日出願）に記載されており、これらの全てが参考として本明細書に組み込まれる。他の締着装置は、米国特許第５，５９５，５６７号（キング（King）ら、１９９７年１月２１日発行）及び米国特許第５，６２４，４２７号（バーグマン（Bergman）ら、１９９７年４月２９日発行）、いずれも名称「再締着可能な締着装置用の不織布雌部材（Nonwoven Female Component For Refastenable Fastening Device）」により詳細に説明されている。更に他の締着装置は、米国特許第５，７３５，８４０及び同第５，９２８，２１２号、名称「一体のバックシートランディング領域を有する使い捨ておむつ（Disposable Diaper With Integral Backsheet Landing Zone）」（いずれもクライン（Kline）らに発行）に記載されており、その両方が参考として本明細書に組み込まれる。更に他の締着装置は、公開ＷＯ  ２００５／０６５６１９、名称「使い捨て物品用のヤモリ状締着具（Gecko-like Fasteners for Disposable Article）」及び米国特許第６，７４６，４３４号、名称「一体成形された表面突出部を有する衣類（Garment Having Integrally Formed Surface Protrusions）」（ジョンソン（Johnson）らに発行）に記載されており、その両方が参考として本明細書に組み込まれる。代替の締着装置と��ては、当該技術分野において既知の接着及び貼着締着装置、並びに接着剤、貼着剤、及び／又は突出部系締着具の組み合わせが挙げられる。好適な接着構成要素の一例は、別個のテープタブ、例えば３Ｍ社（3M Corporation）（米国ミネソタ州セントポール（St. Paul））からＸＭＦ９９１２１の表記で入手可能なテープタブなどを含んでもよい。貼着構成要素の一例は、粘着性締着パッチを含んでもよい。いくつかの実施形態において、粘着性締着パッチは、本質的に結晶質の水性合成エラストマーで形成されてもよく、そのエラストマーには、多結晶性の構造を分裂させ、それによってエラストマーに粘着性をもたせるために、粘着性付与剤が添加されている。例示的な合成粘着性製品は、アンドーバーコーテッドプロダクツ社（Andover Coated Products, Incorporated）（米国マサチューセッツ州サリスベリー（Salisbury））から入手可能であり、また、米国特許第６，１５６，４２４号に記載されている。締着装置はまた、参考として本明細書に組み込まれる米国特許第４，９６３，１４０号（ロバートソン（Robertson）ら、１９９０年１０月１６日発行）に開示されているような、物品を処分用構成に保持するための手段を提供してもよい。
【００５５】
別のフック式締着材料は、熱可塑性材料から形成された突起物の配列を含んでもよい。ホットメルト接着剤熱可塑性材料、特にポリエステル及びポリアミドホットメルト接着剤は、フック式締着材料の突起物を形成するのに特によく適してもよい。その突起物は、いくつかの実施形態において、改良されたグラビア印刷プロセスを使用して、溶融状態にある熱可塑性材料を基材の上に個別の構成単位で印刷し、切断前に熱可塑性材料の一部を伸張させるような方法で材料を切断して、伸張させ溶融材料を「凍結」して突起物とすることにより製造することができる。このフック式締着材料、並びにそのようなフック式締着材料を作るための方法及び機器について、欧州特許出願０  ３８１  ０８７により十分に詳述されている。いくつかの実施形態では、フックは熱可塑的に印刷することができる。好適なフックの印刷プロセスの例が、米国特許第５，５４０，６７３号、及びＰＣＴ国際公開特許ＷＯ  ２００４／０８２９１８に記載されている。
【００５６】
先に述べたとおり、締着装置はまた、受容構成要素を画定する複数個のループを含んでもよい。ループ締着材料及びその作製方法は、米国特許第５，３８０，３１３号、米国特許第５，５６９，２３３号、米国特許第５，４０７，４３９号、米国特許第５，５４２，９４２号、米国特許第５，６６９，９００号、米国特許第５，３１８，５５５号、米国出願公開２００３／００７７４３０、及びＰＣＴ国際公開特許ＷＯ  ０４／０３０７６３に記載されており、これら全てが参考として本明細書に組み込まれる。
【００５７】
以上のことから、予め形成されたたくし込みフラップ又は手作業で形成されるたくし込みフラップを有するシャーシはまた、改善されたフィット性、快適性、及び排泄物封入性を提供する様々な機構を含んでもよいことを理解すべきである。このような機構としては、上記のように、おむつを着用者の特定の解剖学的構造に適合させる伸張可能な耳部、及び弾性的ウエスト機構を挙げてもよい。様々な記載された吸収性コア構成は、より良好な快適性のために乾燥厚さ寸法が低減され、並びに／又は排泄物の保持及び分配が改善されてもよい。上述した他の機構には、吸収性コアをシャーシ内部で支持する様々な方法が挙げられ、この方法により、吸収性コアが排泄物で汚れた後、伸張可能な材料から構成されたシャーシを着用者の身体にぴったりとフィットした状態に維持することができる。他の記載した機構には、不織布及び／又は孔あきトップシート、並びに比較的柔らかい材料の使用が挙げられてもよく、これらはまた、改善された快適性及び／又は排泄物封入性を提供するために伸張可能であってもよい。
【００５８】
本開示によるおむつ１０２は、様々なタイプの前述の材料を備えて構成されてもよく、これらの材料はシャーシ１０６全体、又はシャーシ１０６の一部分、例えばたくし込みフラップ１１２、耳部１０８、耳部１１０、耳部１４６、耳部１４８、股部領域１２０、及び／又は腰部領域１１８、腰部領域１２２を伸張させることが可能であることも理解すべきである。シャーシ１０６全体又はシャーシの一部分は、長手方向、横方向、又は両方向に伸張（即ち、二軸伸張）するように構成され得ることを理解すべきである。いくつかの実施形態では、シャーシは、長手方向伸張領域、横方向伸張領域、及び／又は二軸伸張領域を含んでもよい。例えば、いくつかの実施形態では、たくし込みフラップ１１２の全長は、長手方向及び／又は横方向に伸張させるよう適合される。他の実施形態では、たくし込みフラップ１１２の遠位端部分１２４は、長手方向及び／又は横方向に伸張可能なシャーシ１０６の唯一の部分である。更に他の実施形態では、たくし込みフラップ１１２の中央又は近位領域は、長手方向及び／又は横方向に伸張可能なシャーシ１０６の唯一の部分である。このような例の構成において、たくし込みフラップ１１２又はその領域は、シャーシ１０６の他の部分のものとは異なる材料を含んでもよく、異なる処理（例えばＳＥＬＦ化（SELFing）、機械的リングロール（ring rolling））、又はそれらの組み合わせに付されていてもよい。構造的弾性様フィルム（「ＳＥＬＦ」）材料を開示している参考文献については、上に記載している。たくし込みフラップはまた、「ゼロ歪」ストレッチラミネートを備えて構成されてもよい。ゼロ歪ストレッチラミネートは、エラストマーと不織布の両方が引張られていない状態で、エラストマーを不織布に結合することによって作製され得る。ゼロ歪ラミネートに関するより詳細な考察は、米国特許第５，１５６，７９３号、名称「ゼロ歪ストレッチラミネートウェブを不均一な方法で漸増式に伸張させ、これに可変的な度合いの弾性を付与する方法（Method for Incrementally Stretching Zero Strain Stretch Laminate Web in a Non-uniform Manner to Impart a Varying Degree of Elasticity Thereto）」（ブエル（Buell）ら、１９９２年１０月２０日発行）に見出すことができ、これが参考として本明細書に組み込まれる。別の例において、たくし込みフラップは、「ライブ伸張」によって構成されてもよく、これには弾性体を伸張させること、及びその伸張された弾性体を不織布に結合することが挙げられてもよい。結合後、伸張させた弾性体は解放され、それによって弾性体が収縮し、結果として「波形化」不織布が得られる。「ライブ伸張」に関するより詳細な考察は、米国特許第４，７２０，４１５号（ヴァンダーヴィーレン（Vander Wielen）ら、１９８８年１月１９日発行）及び米国特許第７，０２８，７３５号（シュナイダー（Schneider）ら、２００６年４月１８日発行）に見出すことができ、これらが参考として本明細書に組み込まれる。
【００５９】
上述のように、開示されたおむつ１０２のたくし込みフラップ１１２は、予め形成されていても、あるいは手作業で形成されいても、あるいはそれらのいくつかの組み合わせであってもよい。加えて、いくつかの予め形成されたたくし込みフラップの実施形態は伸張可能である一方、他の実施形態は伸張可能ではない。いくつかの予め形成されたたくし込みフラップ１１２及び手作業で形成されるたくし込みフラップ１１２は、おむつを着用者上に配置する前、その最中、及び／又はその後に、長手方向及び／又は横方向に伸張されてもよい。伸張可能なたくし込みフラップは、非伸張可能なたくし込みフラップよりも優れたいくつかの利点を提供してもよい。例えば、おむつを着用者上に配置する人は、着用者の特定の解剖学的構造上でおむつの比較的より良好なフィット性をもたらす長さ及び／又は幅まで、たくし込みフラップを延ばすことがある。より良好なフィット性を着用者上に提供することに加えて、伸張可能なたくし込みフラップを有するシャーシは、非伸張可能なたくし込みフラップを有するシャーシよりも優れた製造コストの削減をもたらすことがある。例えば、非伸張可能な予め形成されたたくし込みフラップを有する実施形態は、予め形成されたフラップに必要なシャーシ材料の長さの増大の故に、手作業で形成されるたくし込みフラップ及び／又は伸張可能なたくし込みフラップを製造するよりも高価なことがある。加えて、伸張可能な構成要素は、他の場合に必要とされる材料よりも少ない材料を用いたおむつの製造を可能にすることがあり、その上、特殊な切断及び／又は形成プロセスの必要性を低減することがある。また伸張不可能な予め形成されたたくし込みフラップは、製造中により長い寸法に切断される必要があることがあり、製造がより複雑なことがあるが、それは、予め形成されたフラップの先細の末端部及び／又は湾曲した末端部を製造プロセス中に（例えば切断を介して）形成する必要があり、切り取り部の除去の問題やウェブ制御の問題が潜在的に起きることがあるためである。逆に、伸張可能なフラップは、一定の張力の印加の下でフラップの様々な領域を延ばし得る程度を制御することによって、たくし込みフラップの所定の延ばされた形状を提供してもよい。
【００６０】
先に述べたとおり、耳部１０８及び耳部１１０（適用可能であれば耳部１４６及び耳部１４８）、第２腰部領域１２２、及びたくし込みフラップ１１２は、おむつ１０２を着用者の身体上に保持するために様々な構成で配置されてもよい。図２及び８〜１０に示すようなこれらの様々な構成のいくつかについて、以下に説明する。図２、８、及び９に示すように、例えば第２腰部領域１２２は、たくし込みフラップ１１２が耳部及び第２腰部領域の一部分の上に折り重なった状態で、耳部１０８及び耳部１１０と着用者の身体との間に配置されてもよい。図６Ａ〜７Ｂに関して上に記載したように、締着具要素１５０の特定の配列に応じて、耳部１０８及び耳部１１０は、互いに、並びに第２腰部領域１２２及び／又はたくし込みフラップ１１２と解放可能に連結されてもよい。また、たくし込みフラップの遠位端部分は、シャーシ１０６の第２腰部領域１２２と解放可能に連結されてもよい。また、耳部１０８及び耳部１１０は、図２に示すように、第２腰部領域１２２を横切って重なり合った配列で配置されてもよく、あるいは図８に示すように、第２腰部領域１２２を覆って重なり合わずに延びてもよい。図９は、図４Ａ及び４Ｂに関して上に記載した第３及び第４耳部１４６、１４８を有するシャーシ１０６の一例を示しており、第２腰部領域１２２と第３及び第４耳部１４６、１４８は、たくし込みフラップ１１２が耳部１０８及び耳部１１０の上に折り重なった状態で、第１耳部１０８及び第２耳部１１０と着用者の身体との間に配置されている。同様に、図６Ａ〜７Ｂに関して上に記載したように、締着具要素１５０の特定の配列に応じて、耳部１０８及び耳部１１０は、第２腰部領域１２２及び／又はたくし込みフラップ１１２と解放可能に連結されてもよい。たくし込みフラップの遠位端部分はまた、シャーシ１０６の第２腰部領域１２２と解放可能に連結されてもよい。図１０に示した更に別の例では、耳部１０８及び耳部１１０は、たくし込みフラップが着用者の身体に隣接して耳部の上に折り重なった状態で、第２腰部領域１２２とたくし込みフラップ１１２との間に配置されてもよい。図６Ａ〜７Ｂ及び図１０を参照すると、耳部１０８及び耳部１１０は、互いに、並びに第２腰部領域１２２及び／又はたくし込みフラップ１１２と解放可能に連結されてもよい。たくし込みフラップの遠位端部分はまた、シャーシ１０６の第２腰部領域１２２と解放可能に連結されてもよい。
【００６１】
以上の巻きつけ／たくし込み及び折り畳み構成の例から、本開示によるおむつ１０２の実施形態は、様々な方法で着用者の身体上に配置されてもよいことを理解すべきである。例えば図２に示すように、折り畳むとき、おむつ１０２は、シャーシ１０６の第１腰部領域１１８を着用者の胴体の後側腰部領域に隣接して又は後側腰部領域の近傍に配置することによって、着用者の身体に配置される。次いで、シャーシ１０６の第２腰部領域１２２及び股部領域１２０が着用者の両脚の間に通され、股部領域１２０が着用者の股部に沿って、かつ第２腰部領域１２２が着用者の胴体下部の前側腰部領域に隣接して又は前側腰部領域の近傍に配置される。次いで図５Ａ及び５Ｂに示すように、第１耳部１０８及び第２耳部１１０が、着用者の胴体下部の腰の周りに巻きつけられてベルトを形成する。次いで図５Ｃに示すように、耳部１０８及び耳部１１０が、第２腰部領域１２２に隣接してシャーシ１０６の外側面１３６の上に重なり合った配列で配置される。前述の工程が実行される順序を変更してもよいことを理解すべきである。例えば、まず耳部１０８及び耳部１１０が、重なり合った配列で着用者の腰の周りに巻きつけられ、次いでたくし込みフラップ１１２が、重なり合った耳部と着用者の身体との間に滑って入れられる。
【００６２】
次いで図２に示すように、たくし込みフラップ１１２が、耳部１０８及び耳部１１０の上に折り重ねられる。上述のように、たくし込みフラップは、予め形成されても、伸張可能であっても、あるいは手作業で形成されてもよい。加えて、たくし込みフラップはまた、おむつを着用者上に配置する前、その最中、及び／又はその後に、伸張及び／又は形成されてもよい。図６Ａ及び６Ｂに関して上に記載したように変更し得る締着具要素１５０の特定の配列に応じて、耳部１０８及び耳部１１０は、互いに、並びに第２腰部領域１２２及び／又はたくし込みフラップ１１２と解放可能に連結されてもよい。加えて、たくし込みフラップは、耳部１０８及び耳部１１０を覆って下向きに、たくし込みフラップ１１２の遠位端部分１２４がシャーシ１０８の第２腰部領域１２２に隣接する場所まで延びるように示されている。このように、締着具要素１５０の配列に応じて、たくし込みフラップの遠位端部分は、シャーシ１０６の第２腰部領域１２２と解放可能に連結されてもよい。たくし込みフラップは、図示したものより短くてもよく、したがって遠位端部分は、耳部を通り過ぎて第２腰部領域まで延びなくてもよいことを理解すべきである。
【００６３】
上記の例の変形において、図５Ｄに示すように、第１及耳部１０８び第２耳部１１０は、第２腰部領域１２２に隣接してシャーシ１０６の外側面１３６上に配置される。次いで図８に示すように、たくし込みフラップ１１２は、耳部１０８及び耳部１１０の上に折り重ねられる。図６Ａ及び６Ｂに関して上に記載したように変更し得る締着具要素１５０の特定の配列に応じて、耳部１０８及び耳部１１０は、第２腰部領域１２２及び／又はたくし込みフラップ１１２と解放可能に連結されてもよい。加えて、たくし込みフラップは、耳部１０８及び耳部１１０を覆って下向きに、たくし込みフラップ１１２の遠位端部分１２４がシャーシ１０８の第２腰部領域１２２に隣接する場所まで延びるように示されている。このように、締着具要素１５０の配列に応じて、たくし込みフラップの遠位端部分は、シャーシ１０６の第２腰部領域１２２と解放可能に連結されてもよい。図８において、たくし込みフラップはまた、耳部１０８及び耳部１１０を覆って下向きに、たくし込みフラップ１１２の遠位端部分１２４がシャーシ１０８の第２腰部領域１２２に隣接する場所まで延びるように示されている。このように、たくし込みフラップの遠位端部分は、シャーシ１０６の第２腰部領域１２２と解放可能に連結されてもよい。たくし込みフラップは、図示したものより短くてもよく、したがって遠位端部分は、耳部を通り過ぎて第２腰部領域まで延びなくてもよいことを理解すべきである。
【００６４】
先に述べたとおり、たくし込みフラップは、図のいくつかに図示したものより短くてもよく、耳部を通り過ぎて第２腰部領域まで延びなくてもよい。例えば、図９は、図４Ａ及び４Ｂに関して上に記載したシャーシ１０６を示しており、たくし込みフラップ１１２は、耳部１０８及び耳部１１０を通り過ぎて第２腰部領域まで延びないものとして示される。図９はまた、第３耳部１４６及び第４耳部１４８を示しており、第２腰部領域１２２と第３耳部１４６及び第４耳部１４８は、第１耳部１０８及び第２耳部１１０と着用者の身体との間に配置された状態である。図７Ａ及び７Ｂに関して上に記載したように変更し得る締着具要素１５０の特定の配列に応じて、耳部１０８、１１０は、互いに、並びに第２腰部領域１２２、たくし込みフラップ１１２、及び／又は耳部１４６及び耳部１４８と解放可能に連結されてもよい。図９に示したたくし込みフラップはまた、図示したものより長くてもよく、したがって遠位端部分は、耳部を通り過ぎて第２腰部領域まで延びてもよいことを理解すべきである。
【００６５】
上記の例の別の変形が図１０に示されており、ここでは、まず耳部１０８及び耳部１１０が、着用者の胴体下部の腰周りに巻きつけられてベルトを形成する。次いで耳部１０８及び耳部１１０が、着用者の前側腰部領域に隣接して又は前側腰部領域の近傍に重なり合った配列で配置される。シャーシ１０６の第２腰部領域１２２及び股部領域１２０が着用者の両脚の間に通され、股部領域１２０が着用者の股部に沿って、かつ第２腰部領域１２２が耳部１０８及び耳部１１０の外側面に隣接して配置される。次いでたくし込みフラップ１１２が、耳部の内側面と着用者の身体との間で耳部１０８及び耳部１１０の上に折り重ねられる。この場合もまた、たくし込みフラップは、予め形成されても、伸張可能であっても、あるいは手作業で形成されてもよく、またおむつを着用者上に配置する前、その最中、及び／又はその後に、伸張及び／又は形成されてもよい。加えて、図６Ａ及び６Ｂに関して上に記載したように変更し得る締着具要素１５０の特定の配列に応じて、耳部１０８及び耳部１１０は、互いに、並びに第２腰部領域１２２及び／又はたくし込みフラップ１１２と解放可能に連結されてもよい。図１０において、たくし込みフラップはまた、耳部１０８及び耳部１１０を覆って下向きに、たくし込みフラップ１１２の遠位端部分１２４がシャーシ１０８の第２腰部領域１２２に隣接する場所まで延びるように示されている。このように、たくし込みフラップの遠位端部分は、シャーシ１０６の第２腰部領域１２２と解放可能に連結されてもよい。上述のように、たくし込みフラップは、図示したものより短くてもよく、したがって遠位端部分は、耳部を通り過ぎて第２腰部領域まで延びなくてもよい。
【００６６】
本明細書で開示した寸法及び値は、列挙した厳密な数値に狭義に限定されるものとして解釈されるべきではない。それよりむしろ、特に指定されない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【００６７】
本発明の「発明を実施するための形態」で引用したすべての文献は、関連部分において、本明細書に参考として組み込まれるが、いずれの文献の引用も、それが本発明に対する先行技術であることを容認するものとして解釈されるべきではない。本明細書における用語のいずれかの意味又は定義が、参考として組み込まれる文献における用語のいずれかの意味又は定義と対立する範囲においては、本明細書においてその用語に付与した意味又は定義を適用するものとする。
【００６８】
本発明の特定の諸実施形態を例示し、記載したが、本発明の趣旨及び範囲から逸脱することなく他の様々な変更及び修正を実施できることは当業者には自明であろう。したがって、本発明の範囲内にあるこのようなすべての変更及び修正を、添付の特許請求の範囲で扱うものとする。
【図１】
2010508948.tif 000003
【図１Ａ】
2010508948.tif 000004
【図２】
2010508948.tif 000005
【図３Ａ】
2010508948.tif 000006
【図３Ｂ】
2010508948.tif 000007
【図４Ａ】
2010508948.tif 000008
【図４Ｂ】
2010508948.tif 000009
【図５Ａ】
2010508948.tif 000010
【図５Ｂ】
2010508948.tif 000011
【図５Ｃ】
2010508948.tif 000012
【図５Ｄ】
2010508948.tif 000013
【図６Ａ】
2010508948.tif 000014
【図６Ｂ】
2010508948.tif 000015
【図７Ａ】
2010508948.tif 000016
【図７Ｂ】
2010508948.tif 000017
【図８】
2010508948.tif 000018
【図９】
2010508948.tif 000019
【図１０】
2010508948.tif 000020
【国際調査報告】
2010508948.tif 000021
2010508948.tif 000022